(57)【特許請求の範囲】
【請求項１】
無線接続システムにおいて端末が第１キャリアに対する擬似コロケーション（ＱＣＬ）を行う方法であって、
参照キャリアを示す参照キャリア指示と前記参照キャリアのトラッキング参照信号（ＴＲＳ）情報を示すＱＣＬ参照セル固有参照信号（ＣＲＳ）情報パラメータとを有する上位層信号を受信するステップと、
物理下り共有チャネル（ＰＤＳＣＨ）リソース要素（ＲＥ）マッピングおよびＱＣＬ指示子（ＰＱＩ）フィールドを有する物理下りリンク制御チャネル（ＰＤＣＣＨ）信号を受信するステップであって、前記ＰＱＩフィールドは前記端末に設定されたＱＣＬのためのパラメータセットを示すステップと、
前記ＱＣＬ参照ＣＲＳ情報パラメータおよび前記ＰＱＩフィールドに基づいて、前記参照キャリアからＴＲＳを有する第１ＰＤＳＣＨを受信するステップであって、前記ＴＲＳは前記参照キャリアのチャネル状態情報参照信号（ＣＳＩ−ＲＳ）とＱＣＬされているステップと、
前記参照キャリアのＣＳＩ−ＲＳから取得された広範囲特性を適用することによって、前記第１キャリアからＣＳＩ−ＲＳを有する第２ＰＤＳＣＨを受信するステップであって、前記第１キャリアからのＣＳＩ−ＲＳは前記参照キャリアのＴＲＳとＱＣＬされているステップと、
前記第１キャリアから受信したＣＳＩ−ＲＳに基づいて、前記参照キャリアと前記第１キャリアとの間の時間および周波数トラッキングを行うステップと、を有し、
前記ＴＲＳは前記時間および周波数トラッキングに関してのみ使用され、前記ＴＲＳは前記参照キャリアで周期的に送信される、ＱＣＬ実行方法。
【請求項２】
前記端末は、送信モード１０およびＱＣＬタイプＢとして設定され、
前記ＱＣＬタイプＢは、ＣＳＩ−ＲＳリソース構成に対応するＱＣＬ ＣＲＳ情報パラメータに関連するＴＲＳに対するアンテナポートと前記ＣＳＩ−ＲＳリソース構成に対応するアンテナポートとがＱＣＬされたことを意味し、
前記第１キャリアのＲＳは、前記ＴＲＳである、請求項１に記載のＱＣＬ実行方法。
【請求項３】
前記参照キャリアは、プライマリセル（Ｐセル）であり、
前記第１キャリアは、データチャネルのみを有する新キャリアタイプ（ＮＣＴ）である、請求項１に記載のＱＣＬ実行方法。
【請求項４】
無線接続システムにおいて第１キャリアに対する擬似コロケーション（ＱＣＬ）の実行をサポートする装置であって、
受信器と、
前記ＱＣＬをサポートするためのプロセッサと、を備え、
前記プロセッサは、
参照キャリアを示す参照キャリア指示と前記参照キャリアのトラッキング参照信号（ＴＲＳ）情報を示すＱＣＬ参照セル固有参照信号（ＣＲＳ）情報パラメータとを有する上位層信号を、前記受信器を制御して受信し、
物理下り共有チャネル（ＰＤＳＣＨ）リソース要素（ＲＥ）マッピングおよびＱＣＬ指示子（ＰＱＩ）フィールドを有する物理下りリンク制御チャネル（ＰＤＣＣＨ）信号を、前記受信器を制御して受信し、前記ＰＱＩフィールドは前記装置に設定されたＱＣＬのためのパラメータセットを示し、
前記ＱＣＬ参照ＣＲＳ情報パラメータおよび前記ＰＱＩフィールドに基づいて、前記参照キャリアからＴＲＳを有する第１ＰＤＳＣＨを、前記受信器を制御して受信し、前記ＴＲＳは前記参照キャリアのチャネル状態情報参照信号（ＣＳＩ−ＲＳ）とＱＣＬされ、
前記参照キャリアのＣＳＩ−ＲＳから取得された広範囲特性を適用することによって、前記第１キャリアからＣＳＩ−ＲＳを有する第２ＰＤＳＣＨを、前記受信器を制御して受信し、前記第１キャリアからのＣＳＩ−ＲＳは前記参照キャリアのＴＲＳとＱＣＬされ、
前記第１キャリアから受信したＣＳＩ−ＲＳに基づいて、前記参照キャリアと前記第１キャリアとの間の時間および周波数トラッキングを行うように構成され、
前記ＴＲＳは前記時間および周波数トラッキングに関してのみ使用され、前記ＴＲＳは前記参照キャリアで周期的に送信される、装置。
【請求項５】
前記装置は、送信モード１０およびＱＣＬタイプＢとして設定され、
前記ＱＣＬタイプＢは、ＣＳＩ−ＲＳリソース構成に対応するＱＣＬ ＣＲＳ情報パラメータに関連するＴＲＳに対するアンテナポートと前記ＣＳＩ−ＲＳリソース構成に対応するアンテナポートとがＱＣＬされたことを意味し、
前記第１キャリアのＲＳは、前記ＴＲＳである、請求項４に記載の装置。
【請求項６】
前記参照キャリアは、プライマリセル（Ｐセル）であり、
前記第１キャリアは、データチャネルのみを有する新キャリアタイプ（ＮＣＴ）である、請求項４に記載の装置。
【発明の詳細な説明】
【技術分野】
【０００１】
本発明は、無線接続システムに関し、特に、擬似コロケーション（ＱＣＬ：Quasi Co-Location）を行う様々な方法およびＱＣＬを行う様々な方法をサポート（支援）する（support）装置に関する。
【背景技術】
【０００２】
無線接続システムが音声やデータなどの種々の通信サービスを提供するために広範囲に展開されている。一般に、無線接続システムは、利用可能なシステムリソース（帯域幅、送信電力など）を共有してマルチ（複数の）（multiple）ユーザとの通信をサポートできる多元接続（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【発明の概要】
【発明が解決しようとする課題】
【０００３】
本発明の目的は、効率的なデータ送信方法を提供することである。
【０００４】
本発明の他の目的は、ＱＣＬを行う様々な方法および装置を提供することである。
【０００５】
本発明の更に他の目的は、新（ニュー）キャリアタイプ（ＮＣＴ：New Carrier Type）においてトラッキング参照信号（ＴＲＳ：Tracking Reference Signal）を用いて周波数トラッキングを行う方法を提供することである。
【０００６】
本発明の更に他の目的は、ＣｏＭＰ環境で送信点間におけるＱＣＬを行う方法を提供することである。
【０００７】
本発明の更に他の目的は、上記の方法をサポートする装置を提供することである。
【０００８】
本発明で達成しようとする技術的目的は、以上で言及した事項に制限されず、言及していない他の技術的課題は、以下に説明する本発明の実施例から、本発明の属する技術分野における通常の知識を有する者にとって考慮されてもよい。
【課題を解決するための手段】
【０００９】
本発明は、擬似コロケーション（ＱＣＬ）を行う様々な方法およびＱＣＬを行う様々な方法をサポートする装置に関する。
【００１０】
本発明の一様態として、無線接続システムにおいて端末が新キャリアタイプ（ＮＣＴ：New Carrier Type）に対する擬似コロケーション（ＱＣＬ：Quasi Co-Location）を行う方法は、参照キャリアのセル固有参照信号（ＣＲＳ：Cell specific Reference Signal）情報を示すＱＣＬ参照ＣＲＳ情報パラメータを有する上位層信号を受信するステップと、物理下り共有チャネル（ＰＤＳＣＨ）リソース要素（ＲＥ）マッピングおよび疑似コロケーション指示子（ＰＱＩ：PDSCH RE mapping and Quasi co-location Indicator）フィールドを有する物理下りリンク制御チャネル（ＰＤＣＣＨ）信号を受信するステップと、ＱＣＬ参照ＣＲＳ情報パラメータおよびＰＱＩフィールドに基づいて、参照キャリアのＣＲＳとＱＣＬされたＮＣＴのＣＳＩ−ＲＳを受信するステップと、参照キャリアのＣＲＳおよびＮＣＴのＣＳＩ−ＲＳに基づいて、参照キャリアとＮＣＴとの周波数トラッキングを行うステップと、を有することができる。
【００１１】
本発明の他の様態として、無線接続システムにおいて新キャリアタイプ（ＮＣＴ：New Carrier Type）に対する擬似コロケーション（ＱＣＬ：Quasi Co-Location）の実行をサポートする装置は、受信器と、ＱＣＬをサポートするためのプロセッサと、を備えることができる。ここで、プロセッサは、参照キャリアのセル固有参照信号（ＣＲＳ：Cell specific Reference Signal）情報を示すＱＣＬ参照ＣＲＳ情報パラメータを有する上位層信号を、受信器を制御して受信し、物理下り共有チャネル（ＰＤＳＣＨ）リソース要素（ＲＥ）マッピングおよび疑似コロケーション指示子（ＰＱＩ：PDSCH RE mapping and Quasi co-location Indicator）フィールドを有する物理下りリンク制御チャネル（ＰＤＣＣＨ）信号を、受信器を制御して受信し、ＱＣＬ参照ＣＲＳ情報パラメータおよびＰＱＩフィールドに基づいて、参照キャリアのＣＲＳとＱＣＬされたＮＣＴのＣＳＩ−ＲＳを、受信器を制御して受信し、参照キャリアのＣＲＳおよびＮＣＴのＣＳＩ−ＲＳに基づいて、参照キャリアとＮＣＴとの周波数トラッキングを行うように構成されてもよい。
【００１２】
ここで、端末は、送信モード１０およびＱＣＬタイプＢとして設定され、ＱＣＬタイプＢは、チャネル状態情報参照信号（ＣＳＩ−ＲＳ：Channel State Information Reference Signal）リソース構成に対応するＱＣＬ ＣＲＳ情報パラメータに関連するトラッキング参照信号（ＴＲＳ：Tracking Reference Signal）のアンテナポートとＣＳＩ−ＲＳリソース構成に対応するアンテナポートとがＱＣＬされたことを意味することができる。
【００１３】
また、端末は、送信モード１０およびＱＣＬタイプＢとして設定され、端末は、ＣＳＩ−ＲＳリソース構成に対応するＱＣＬ参照ＣＲＳ情報フィールドに関連する参照キャリアのアンテナポートとＮＣＴのＣＳＩ−ＲＳ構成に対応するアンテナポートとが、ドップラシフト（遷移）（Doppler shift）およびドップラ拡散（Doppler spread）に関してＱＣＬされたと仮定することができる。
【００１４】
ここで、ＰＱＩフィールドは、端末に設定されたＱＣＬのためのパラメータセットを示すことができる。
【００１５】
また、上位層信号は、参照キャリアを示す参照キャリア指示パラメータをさらに有し、参照キャリアはプライマリセル（Ｐセル（Pcell：Primary cell））であってもよい。
【００１６】
上述した本発明の様態は、本発明の好適な実施例の一部に過ぎず、本願発明の技術的特徴が反映された様々な実施例を、当該技術の分野における通常の知識を有する者にとっては、以下に詳述する本発明の詳細な説明に基づいて導出して理解することができる。
【発明の効果】
【００１７】
本発明の実施例によれば、次のような効果を得ることができる。
【００１８】
第一に、ＮＣＴを活用することによって効率的にデータを送受信することができる。
【００１９】
第二に、ＮＣＴおよびＣｏＭＰ環境でＱＣＬ性能を向上させることができる。
【００２０】
本発明の実施例から得られる効果は、以上で言及した効果に制限されず、言及していない他の効果は、以下の本発明の実施例に関する記載から、本発明の属する技術分野における通常の知識を有する者にとって明確に導出され理解されるであろう。すなわち、本発明を実施するに上で意図していない効果も、本発明の実施例から、当該技術分野における通常の知識を有する者によって導出可能である。
【図面の簡単な説明】
【００２１】
【図１】本発明の実施例で使用できる物理チャネルおよびこれらを用いた信号送信方法を説明する図である。
【図２】本発明の実施例で用いられる無線フレームの構造を示す図である。
【図３】本発明の実施例で使用できる下りリンクスロットに関するリソースグリッド（resource grid）を例示する図である。
【図４】本発明の実施例で使用できる上りリンクサブフレームの構造を示す図である。
【図５】本発明の実施例で使用できる下りサブフレームの構造を示す図である。
【図６】本発明の実施例で用いられるクロスキャリアスケジューリングによるＬＴＥ−Ａシステムのサブフレーム構造を示す図である。
【図７】本発明の実施例で利用可能なセル固有（特定の）参照信号（ＣＲＳ：Cell specific Reference Signal）が割り当てられたサブフレームの一例を示す図である。
【図８】本発明の実施例で利用可能なＣＳＩ−ＲＳがアンテナポートの個数によって割り当てられたサブフレームの一例を示す図である。
【図９】本発明の実施例で利用可能なＵＥ固有（特定の）参照信号（ＵＥ−ＲＳ）が割り当てられたサブフレームの一例を示す図である。
【図１０】新しいＰＱＩ情報を用いたトラッキング方法の一つを示す図である。
【図１１】ＣｏＭＰ環境で行われるトラッキング方法の一つを示す図である。
【図１２】図１乃至図１１で説明した方法を具現することができる装置を示す図である。
【発明を実施するための形態】
【００２２】
本発明に関する理解を助けるために詳細な説明の一部として含まれる添付の図面は、本発明に関する様々な実施例を提供する。また、添付の図面は、詳細な説明と共に本発明の実施の形態を説明するために用いられる。
【００２３】
本発明は、擬似コロケーション（ＱＣＬ：Quasi Co-Location）を行う様々な方法およびＱＣＬを行う様々な方法をサポートする装置を提供する。
【００２４】
以下の実施例は、本発明の構成要素と特徴とを所定の形態で組み合わせたものである。各構成要素または特徴は、別の明示的な言及がない限り、選択的なものとして考慮することができる。各構成要素または特徴は、他の構成要素や特徴と組み合わせない形態で実施することができる。また、一部の構成要素および／または特徴を組み合わせて本発明の実施例を構成することもできる。本発明の実施例で説明する動作の順序は変更してもよい。ある実施例の一部の構成や特徴は他の実施例に含まれてもよく、または他の実施例の対応する構成または特徴に取り替えられてもよい。
【００２５】
図面に関する説明において、本発明の要旨を曖昧にさせうる手順または段階（ステップ）（step）などは記述を省略し、当業者のレベルで理解できる手順または段階も記述を省略した。
【００２６】
本明細書において、本発明の実施例は、基地局と移動局との間のデータ送受信関係を中心に説明した。ここで、基地局は、移動局と直接通信を行うネットワークの終端ノード（terminal node）としての意味を有する。本文書で基地局によって行われるとした特定の動作は、場合によっては、基地局の上位ノード（upper node）によって行われてもよい。
【００２７】
すなわち、基地局を含む複数のネットワークノード（network node）からなるネットワークにおいて移動局との通信のために行われる様々な動作は、基地局または基地局以外の他のネットワークノードによって行われてもよい。ここで、「基地局」は、固定局（fixed station）、Ｎｏｄｅ Ｂ、ｅＮｏｄｅ Ｂ（ｅＮＢ）、発展した基地局（ＡＢＳ：Advanced Base Station）またはアクセスポイント（access point）などの用語に置き代えてもよい。
【００２８】
また、本発明の実施例でいう「端末（Terminal）」は、ユーザ機器（ＵＥ：User Equipment）、移動局（ＭＳ：Mobile Station）、加入者端末（ＳＳ：Subscriber Station）、移動加入者端末（ＭＳＳ：Mobile Subscriber Station）、移動端末（Mobile Terminal）、または発展した移動端末（ＡＭＳ：Advanced Mobile Station）などの用語に置き代えてもよい。
【００２９】
また、送信端は、データサービスまたは音声サービスを提供する固定および／または移動ノードを意味し、受信端は、データサービスまたは音声サービスを受信する固定および／または移動ノードを意味する。そのため、上りリンクでは、移動局を送信端とし、基地局を受信端とすることができる。同様に、下りリンクでは、移動局を受信端とし、基地局を送信端とすることができる。
【００３０】
本発明の実施例は、無線接続システムであるＩＥＥＥ ８０２．ｘｘシステム、３ＧＰＰ（3rd Generation Partnership Project）システム、３ＧＰＰ ＬＴＥシステムおよび３ＧＰＰ２システムのうち少なくとも一つに開示された標準文書によって裏付けることができ、特に、本発明の実施例は、３ＧＰＰ ＴＳ ３６．２１１、３ＧＰＰ ＴＳ ３６．２１２、３ＧＰＰ ＴＳ ３６．２１３および３ＧＰＰ ＴＳ ３６．３２１の文書によって裏付けることができる。すなわち、本発明の実施例において説明していない自明な段階または部分（parts）は、上記の文書を参照して説明することができる。また、本文書で開示している用語はいずれも上記の標準文書によって説明することができる。
【００３１】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００３２】
また、本発明の実施例で使われる特定の用語は、本発明の理解を助けるために提供されたもので、このような特定の用語の使用は、本発明の技術的思想を逸脱しない範囲で他の形態に変更してもよい。
【００３３】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線接続システムに適用することができる。
【００３４】
ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ ８０２．１１（Ｗｉ−Ｆｉ（登録商標））、ＩＥＥＥ ８０２．１６（ＷｉＭＡＸ）、ＩＥＥＥ ８０２−２０、Ｅ−ＵＴＲＡ（Evolved UTRA）などの無線技術によって具現することができる。
【００３５】
ＵＴＲＡは、ＵＭＴＳ（Universal Mobile Telecommunications System）の一部である。３ＧＰＰ ＬＴＥ（Long Term Evolution）は、Ｅ−ＵＴＲＡを用いるＥ−ＵＭＴＳ（Evolved UMTS）の一部であって、下りリンクでＯＦＤＭＡを採用し、上りリンクでＳＣ−ＦＤＭＡを採用する。ＬＴＥ−Ａ（Advanced）システムは、３ＧＰＰ ＬＴＥシステムの改良されたシステムである。本発明の技術的特徴に関する説明を明確にするために、本発明の実施例を３ＧＰＰ ＬＴＥ／ＬＴＥ−Ａシステムを中心に説明するが、ＩＥＥＥ ８０２．１６ｅ／ｍシステムなどに適用してもよい。
【００３６】
１．  ３ＧＰＰ ＬＴＥ／ＬＴＥ＿Ａシステム
無線接続システムにおいて、端末は、下りリンク（ＤＬ：DownLink）を介して基地局から情報を受信し、上りリンク（ＵＬ：UpLink）を介して基地局に情報を送信する。基地局および端末が送受信する情報は、一般的なデータ情報および様々な制御情報を含み、これらが送受信する情報の種類／用途によって様々な物理チャネルが存在する。
【００３７】
１．１  システム一般
図１は、本発明の実施例で使用できる物理チャネルおよびこれらを用いた信号送信方法を説明するための図である。
【００３８】
電源が消えた状態から電源がついたり、新しくセルに進入したりした端末は、ステップＳ１１において、基地局と同期を取るなどの初期セル探索（Initial cell search）作業を行う。そのために、端末は、基地局からプライマリ（１次）同期チャネル（Ｐ−ＳＣＨ：Primary Synchronization CHannel）およびセカンダリ（２次）同期チャネル（Ｓ−ＳＣＨ：Secondary Synchronization CHannel）を受信して基地局と同期を取り、セルＩＤなどの情報を取得する。
【００３９】
その後、端末は、基地局から物理放送チャネル（ＰＢＣＨ：Physical Broadcast CHannel）信号を受信してセル内の放送情報を取得することができる。端末は、初期セル探索段階（ステップ）（step）で下りリンク参照信号（ＤＬ ＲＳ：DownLink Reference Signal）を受信して下りチャネル状態を確認することができる。
【００４０】
初期セル探索を終えた端末は、ステップＳ１２において、物理下り制御チャネル（ＰＤＣＣＨ：Physical Downlink Control CHannel）、および物理下り制御チャネル情報に基づく物理下り共有チャネル（ＰＤＳＣＨ：Physical Downlink Shared CHannel）を受信し、より具体的なシステム情報を取得することができる。
【００４１】
その後、端末は、基地局との接続を完了するために、ステップＳ１３乃至ステップＳ１６のようなランダムアクセス手順（Random Access Procedure）を基地局と行うことができる。そのために、端末は、物理ランダムアクセスチャネル（ＰＲＡＣＨ：Physical Random Access CHannel）を用いてプリアンブル（preamble）を送信し（Ｓ１３）、物理下り制御チャネルおよびこれに対応する物理下り共有チャネルを用いてプリアンブルに対する応答メッセージを受信することができる（Ｓ１４）。競合ベースのランダムアクセスでは、端末は、さらなる物理ランダムアクセスチャネル信号の送信（Ｓ１５）、および物理下り制御チャネル信号およびこれに対応する物理下り共有チャネル信号の受信（Ｓ１６）などの衝突解決手順（Contention Resolution Procedure）を行うことができる。
【００４２】
上述したような手順を行った端末は、その後、一般的な上り／下り信号送信手順として、物理下り制御チャネル信号および／もしくは物理下り共有チャネル信号の受信（Ｓ１７）並びに物理上り共有チャネル（ＰＵＳＣＨ：Physical Uplink Shared CHannel）信号および／もしくは物理上り制御チャネル（ＰＵＣＣＨ：Physical Uplink Control CHannel）信号の送信（Ｓ１８）を行うことができる。
【００４３】
端末が基地局に送信する制御情報を総称して、上り制御情報（ＵＣＩ：Uplink Control Information）という。ＵＣＩは、ＨＡＲＱ−ＡＣＫ／ＮＡＣＫ（Hybrid Automatic Repeat and reQuest ACKnowledgement／Negative-ACK）、ＳＲ（Scheduling Request）、ＣＱＩ（Channel Quality Indication）、ＰＭＩ（Precoding Matrix Indication）、ＲＩ（Rank Indication）情報などを含む。
【００４４】
ＬＴＥシステムにおいて、ＵＣＩは、一般的にＰＵＣＣＨを介して周期的に送信されるが、制御情報とトラフィックデータとが同時に送信されるべき場合にはＰＵＳＣＨを介して送信してもよい。また、ネットワークの要求／指示に応じてＰＵＳＣＨを介してＵＣＩを非周期的に送信してもよい。
【００４５】
図２には、本発明の実施例で用いられる無線フレームの構造を示す。
【００４６】
図２（ａ）は、フレーム構造タイプ１（frame structure type 1）を示す。フレーム構造タイプ１は、全二重（full duplex）ＦＤＤ（Frequency Division Duplex）システムと半二重（half duplex）ＦＤＤシステムの両方に適用することができる。
【００４７】
１つの無線フレーム（radio frame）は、Ｔf＝３０７２００・Ｔs＝１０ｍｓの長さを有し、Ｔslot＝１５３６０・Ｔs＝０．５ｍｓの均等な長さを有し、０から１９までのインデックスが与えられた２０個のスロットで構成される。１つのサブフレームは、２個の連続したスロットとして定義され、ｉ番目のサブフレームは、２ｉおよび２ｉ＋１に該当するスロットで構成される。すなわち、無線フレーム（radio frame）は、１０個のサブフレーム（subframe）で構成される。１つのサブフレームを送信するために掛かる時間をＴＴＩ（Transmission Time Interval）という。ここで、Ｔsはサンプリング時間を表し、Ｔs＝１／（１５ｋＨｚ×２０４８）＝３．２５５２×１０-8（約３３ｎｓ）で与えられる。スロットは、時間領域で複数のＯＦＤＭシンボルまたはＳＣ−ＦＤＭＡシンボルを含み、周波数領域で複数のリソースブロック（ＲＢ：Resource Block）を含む。
【００４８】
１つのスロットは、時間領域で複数のＯＦＤＭ（Orthogonal Frequency Division Multiplexing）シンボルを含む。３ＧＰＰ ＬＴＥは、下りリンクでＯＦＤＭＡを使用するので、ＯＦＤＭシンボルは１つのシンボル区間（symbol period）を表現するためのものである。１つのＯＦＤＭシンボルは、１つのＳＣ−ＦＤＭＡシンボルまたはシンボル区間ということができる。リソースブロック（resource block）は、リソースの割り当て単位であって、１つのスロットで複数の連続した副搬送波（サブキャリア）（subcarrier）を含む。
【００４９】
全二重ＦＤＤシステムでは、それぞれの１０ｍｓ区間で１０個のサブフレームを下り送信および上り送信のために同時に利用することができる。このとき、上り送信および下り送信は周波数領域で区別される。一方、半二重ＦＤＤシステムでは、端末は送信および受信を同時に行うことができない。
【００５０】
上述した無線フレームの構造は一つの例に過ぎず、無線フレームに含まれるサブフレームの数、サブフレームに含まれるスロットの数、またはスロットに含まれるＯＦＤＭシンボルの数は様々に変更されてもよい。
【００５１】
図２（ｂ）には、フレーム構造タイプ２（frame structure type 2）を示す。フレーム構造タイプ２はＴＤＤシステムに適用される。１つの無線フレームは、Ｔf＝３０７２００・Ｔs＝１０ｍｓの長さを有し、１５３６００・Ｔs＝５ｍｓの長さを有する２個のハーフフレーム（half-frame）で構成される。各ハーフフレームは、Ｔs＝３０７２０・Ｔs＝１ｍｓの長さを有する５個のサブフレームで構成される。ｉ番目のサブフレームは、２ｉおよび２ｉ＋１に該当する各Ｔslot＝１５３６０・Ｔs＝０．５ｍｓの長さを有する２個のスロットで構成される。ここで、Ｔsは、サンプリング時間を表し、Ｔs＝１／（１５ｋＨｚ×２０４８）＝３．２５５２×１０-8（約３３ｎｓ）で与えられる。
【００５２】
フレームタイプ２は、ＤｗＰＴＳ（Downlink Pilot Time Slot）、保護区間（ＧＰ：Guard Period）、ＵｐＰＴＳ（Uplink Pilot Time Slot）の３つのフィールドで構成されるスペシャル（special）サブフレームを含む。ここで、ＤｗＰＴＳは、端末における初期セル探索、同期またはチャネル推定に用いられる。ＵｐＰＴＳは、基地局におけるチャネル推定および端末の上り送信同期のために用いられる。保護区間は、上りリンクと下りリンクとの間で下りリンク信号のマルチパス（multi-path）遅延によって上りリンクで生じる干渉を除去するための区間である。
【００５３】
下記の表１に、スペシャルフレームの構成（ＤｗＰＴＳ／ＧＰ／ＵｐＰＴＳの長さ）を示す。
【００５４】
【表１】
0006370808.tif 000002
【００５５】
図３は、本発明の実施例で使用できる下りリンクスロットのリソースグリッド（resource grid）を例示する図である。
【００５６】
図３を参照すると、１つの下りリンクスロットは、時間領域で複数のＯＦＤＭシンボルを含む。ここで、１つの下りリンクスロットは７個のＯＦＤＭシンボルを含み、１つのリソースブロックは周波数領域で１２個の副搬送波を含むとするが、これに限定されるものではない。
【００５７】
リソースグリッド上で各要素（element）をリソース要素（ＲＥ：Resource Element）とし、１つのリソースブロックは１２×７個のリソース要素を含む。下りリンクスロットに含まれるリソースブロックの数ＮDLは、下りリンク送信帯域幅（bandwidth）に依存する。上りリンクスロットの構造は、下りリンクスロットの構造と同一であってもよい。
【００５８】
図４は、本発明の実施例で使用できる上りリンクサブフレームの構造を示す。
【００５９】
図４を参照すると、上りリンクサブフレームは、周波数領域で制御領域とデータ領域とに区別される。制御領域には、上り制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨとを同時に送信することがない。一つの端末に対するＰＵＣＣＨにはサブフレーム内にＲＢ対（pair）が割り当てられる。ＲＢ対に属するＲＢは、２個のスロットのそれぞれで異なる副搬送波を占める。これを、ＰＵＣＣＨに割り当てられたＲＢ対はスロット境界（slot boundary）で周波数ホッピング（frequency hopping）するという。
【００６０】
図５には、本発明の実施例で使用できる下りサブフレームの構造を示す。
【００６１】
図５を参照すると、サブフレームにおける第一のスロットにおいて、ＯＦＤＭシンボルインデックス０から最大３個のＯＦＤＭシンボルは、制御チャネルが割り当てられる制御領域（control region）であり、残りのＯＦＤＭシンボルは、ＰＤＳＣＨが割り当てられるデータ領域（data region）である。３ＧＰＰ ＬＴＥで用いられる下りリンク制御チャネルの例には、ＰＣＦＩＣＨ（Physical Control Format Indicator CHannel）、ＰＤＣＣＨ、ＰＨＩＣＨ（Physical Hybrid-ARQ Indicator CHannel）などがある。
【００６２】
ＰＣＦＩＣＨは、サブフレームにおける最初のＯＦＤＭシンボルで送信され、サブフレーム内における制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Hybrid Automatic Repeat Request）に対するＡＣＫ（ACKnowledgement）／ＮＡＣＫ（Negative-ACKnowledgement）信号を運ぶ。ＰＤＣＣＨを介して送信される制御情報を下り制御情報（ＤＣＩ：Downlink Control Information）という。下り制御情報は、上りリソース割り当て情報、下りリソース割り当て情報、または任意の端末グループに対する上り送信（Ｔｘ）電力制御コマンド（命令）（command）を含む。
【００６３】
１．２  キャリアアグリゲーション（集約、結合）（ＣＡ：Carrier Aggregation）環境
１．２．１  ＣＡ一般
３ＧＰＰ ＬＴＥ（3rd Generation Partnership Project Long Term Evolution；Ｒｅｌ−８またはＲｅｌ−９）システム（以下、ＬＴＥシステム）は、単一のコンポーネントキャリア（ＣＣ：Component Carrier）を複数の帯域に分割して使用するマルチキャリア（多重搬送波）変調（ＭＣＭ：Multi-Carrier Modulation）方式を用いる。しかし、３ＧＰＰ ＬＴＥ−Ａｄｖａｎｃｅｄシステム（例えば、Ｒｅｌ−１０またはＲｅｌ−１１）（以下、ＬＴＥ−Ａシステム）では、ＬＴＥシステムよりも広帯域のシステム帯域幅をサポートするために、１つまたは複数のコンポーネントキャリアを集約して使用するキャリアアグリゲーション（ＣＡ：Carrier Aggregation）のような方法を使用することができる。キャリアアグリゲーションは、搬送波アグリゲーション（集成）（aggregation）、搬送波結合（combining）、マルチコンポーネントキャリア環境（Multi-CC）またはマルチキャリア環境に言い換えてもよい。
【００６４】
本発明でいうマルチキャリアは、キャリアアグリゲーション（または、搬送波集約）を意味し、このとき、キャリアアグリゲーションは、隣接した（contiguous）キャリア間のアグリゲーション（集約）（aggregation）だけでなく、隣接しない（非隣接）（non-contiguous）キャリア間のアグリゲーションも意味する。また、下りリンクと上りリンクとの間で集約（集成）される（aggregated）コンポーネントキャリアの数が異なるように設定されてもよい。下りリンクコンポーネントキャリア（以下、「ＤＬ ＣＣ」という。）の数と上りリンクコンポーネントキャリア（以下、「ＵＬ ＣＣ」という。）の数とが一致する場合を対称（symmetric）アグリゲーションといい、これらの数が異なる場合を非対称（asymmetric）アグリゲーションという。
【００６５】
このようなキャリアアグリゲーションは、搬送波アグリゲーション、帯域幅アグリゲーション（集成）（bandwidth aggregation）、スペクトルアグリゲーション（集成）（spectrum aggregation）などの用語と同じ意味で使われてもよい。ＬＴＥ−Ａシステムでは、２つ以上のコンポーネントキャリアが集約して構成されるキャリアアグリゲーションは、１００ＭＨｚ帯域幅までサポートすることを目標とする。目標帯域よりも小さい帯域幅を有する１つまたは複数のキャリアを集約するとき、集約するキャリアの帯域幅は、従来のＩＭＴシステムとの互換性（backward compatibility）を維持するために、従来のシステムで使用する帯域幅に制限することができる。
【００６６】
例えば、従来の３ＧＰＰ ＬＴＥシステムでは｛１．４、３、５、１０、１５、２０｝ＭＨｚ帯域幅をサポートし、３ＧＰＰ ＬＴＥ−ａｄｖａｎｃｅｄシステム（すなわち、ＬＴＥ−Ａ）では、従来のシステムとの互換性のために、上記の帯域幅のみを用いて２０ＭＨｚよりも大きい帯域幅をサポートするようにすることができる。また、本発明で用いられるキャリアアグリゲーションシステムは、従来のシステムで用いる帯域幅とは無関係に、新しい帯域幅を定義してキャリアアグリゲーションをサポートするようにしてもよい。
【００６７】
また、上述のようなキャリアアグリゲーションは、イントラ−バンドＣＡ（Intra-band CA）とインター−バンドＣＡ（Inter-band CA）とに区別できる。イントラ−バンドキャリアアグリゲーションとは、複数のＤＬ ＣＣおよび／またはＵＬ ＣＣが周波数上で隣接したり近接して位置することを意味する。換言すれば、ＤＬ ＣＣおよび／またはＵＬ ＣＣのキャリア周波数が同一のバンド内に位置することを意味できる。一方、周波数領域で遠く離れている環境をインター−バンドＣＡ（Inter-Band CA）と呼ぶことができる。換言すれば、複数のＤＬ ＣＣおよび／またはＵＬ ＣＣのキャリア周波数が互いに異なるバンドに位置することを意味できる。この場合、端末は、キャリアアグリゲーション環境での通信を行うために複数のＲＦ（Radio Frequency）端を使用することもできる。
【００６８】
ＬＴＥ−Ａシステムは、無線リソースを管理するためにセル（cell）の概念を用いる。上述したキャリアアグリゲーション環境は、マルチセル（multiple cells）環境と呼ぶことができる。セルは、下りリソース（ＤＬ ＣＣ）と上りリソース（ＵＬ ＣＣ）との一対の組合せとして定義されるが、上りリソースは必須要素ではない。そのため、セルは、下りリソース単独で構成されてもよく、下りリソースと上りリソースとで構成されてもよい。
【００６９】
例えば、特定の端末が１つの設定されたサービングセル（configured serving cell）を有する場合、１個のＤＬ ＣＣと１個のＵＬ ＣＣとを有することができるが、特定の端末が２個以上の設定されたサービングセルを有する場合には、セルの数だけのＤＬ ＣＣを有し、ＵＬ ＣＣの数は該ＤＬ ＣＣと等しくてもよく小さくてもよい。あるいは、ＤＬ ＣＣとＵＬ ＣＣとが逆に構成されてもよい。すなわち、特定の端末が複数の設定されたサービングセルを有する場合、ＤＬ ＣＣの数よりもＵＬ ＣＣが多いキャリアアグリゲーション環境もサポート可能である。
【００７０】
また、キャリアアグリゲーション（ＣＡ）は、それぞれキャリア周波数（セルの中心周波数）が互いに異なる２つ以上のセルの集約（併合、結合）（aggregation）として理解されてもよい。ここでいう「セル（Cell）」は、一般に使われる基地局がカバーする地理的領域としての「セル」とは区別しなければならない。以下、上述したイントラ−バンドキャリアアグリゲーションをイントラ−バンドマルチセルと称し、インター−バンドキャリアアグリゲーションをインター−バンドマルチセルと称する。
【００７１】
ＬＴＥ−Ａシステムで使われるセルは、プライマリセル（ＰＣｅｌｌ：Primary Cell）（Ｐセル）およびセカンダリセル（ＳＣｅｌｌ：Secondary Cell）（Ｓセル）を含む。ＰセルおよびＳセルは、サービングセル（Serving Cell）として用いることができる。ＲＲＣ＿ＣＯＮＮＥＣＴＥＤ状態にあるが、キャリアアグリゲーションが設定されていないか、またはキャリアアグリゲーションをサポートしない端末の場合、Ｐセルのみで構成されたサービングセルが１つ存在する。一方、ＲＲＣ＿ＣＯＮＮＥＣＴＥＤ状態にあると共にキャリアアグリゲーションが設定された端末の場合、１つまたは複数のサービングセルが存在でき、サービングセル全体にはＰセルと１つまたは複数のＳセルとが含まれる。
【００７２】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳｅｒｖＣｅｌｌＩｎｄｅｘは、サービングセル（ＰセルまたはＳセル）を識別するために使われる簡略な（短い）（short）識別子であって、０から７までの整数値を有する。０値はＰセルに適用され、Ｓセルに適用されるＳＣｅｌｌＩｎｄｅｘはあらかじめ与えられる。すなわち、ＳｅｒｖＣｅｌｌＩｎｄｅｘにおいて最も小さいセルＩＤ（または、セルインデックス）を有するセルがＰセルとなる。
【００７３】
Ｐセルは、プライマリ周波数（または、primary CC）上で動作するセルを意味する。端末が初期接続確立（initial connection establishment）手順を行ったり接続再確立手順（過程）を行ったりするために用いられることもあり、ハンドオーバ手順で指示されたセルを意味することもある。また、Ｐセルは、キャリアアグリゲーション環境で設定されたサービングセルのうち、制御関連通信の中心となるセルを意味する。すなわち、端末は、自体のＰセルでのみＰＵＣＣＨの割り当てを受けて送信することができ、システム情報を取得したりモニタリング手順を変更するためにＰセルのみを用いることができる。Ｅ−ＵＴＲＡＮ（Evolved Universal Terrestrial Radio Access）は、キャリアアグリゲーション環境をサポートする端末に対し、移動性制御情報（mobility Control Info）を含む上位層のＲＲＣ接続再確立（RRC Connection Reconfigutaion）メッセージを用いてハンドオーバ手順のためにＰセルのみを変更することもできる。
【００７４】
Ｓセルは、セカンダリ周波数（または、Secondary CC）上で動作するセルを意味することができる。特定の端末にＰセルは１つのみ割り当てられ、Ｓセルは１つまたは複数割り当てられうる。Ｓセルは、ＲＲＣ接続確立がなされた後に構成可能であり、さらなる無線リソースを提供するために用いることができる。キャリアアグリゲーション環境で設定されたサービングセルのうち、Ｐセル以外のセル、すなわち、ＳセルにはＰＵＣＣＨが存在しない。
【００７５】
Ｅ−ＵＴＲＡＮは、Ｓセルを、キャリアアグリゲーション環境をサポートする端末に追加する際、ＲＲＣ＿ＣＯＮＮＥＣＴＥＤ状態である関連するセルの動作に関する全てのシステム情報を、専用（特定の）シグナル（dedicated signal）を用いて提供することができる。システム情報の変更は、関連するＳセルの解除および追加によって制御することができ、このとき、上位層のＲＲＣ接続再確立（RRC Connection Reconfiguration）メッセージを用いることができる。Ｅ−ＵＴＲＡＮは、関連するＳセル内でブロードキャストするよりは、端末別に異なるパラメータを有する専用（特定の）シグナリング（dedicated signaling）を行うことができる。
【００７６】
初期セキュリティ起動（活性化）（initial security activation）手順が始まった後、Ｅ−ＵＴＲＡＮは、接続確立手順で初期に構成されるＰセルに加えて、１つまたは複数のＳセルを含むネットワークを構成することができる。キャリアアグリゲーション環境において、ＰセルおよびＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【００７７】
１．２．２  クロスキャリアスケジューリング（Cross Carrier Scheduling）
キャリアアグリゲーションシステムでは、キャリア（または、搬送波）またはサービングセル（Serving Cell）に対するスケジューリングの観点で、セルフスケジューリング（Self-Scheduling）方法およびクロスキャリアスケジューリング（Cross Carrier Scheduling）方法の２つがある。クロスキャリアスケジューリングは、クロスコンポーネントキャリアスケジューリング（Cross Component Carrier Scheduling）またはクロスセルスケジューリング（Cross Cell Scheduling）と呼ぶこともできる。
【００７８】
セルフスケジューリングは、ＰＤＣＣＨ（ＤＬ  Ｇｒａｎｔ）とＰＤＳＣＨとが同一のＤＬ ＣＣで送信されたり、ＤＬ ＣＣで送信されたＰＤＣＣＨ（ＵＬ  Ｇｒａｎｔ）に基づいて送信されるＰＵＳＣＨが、ＵＬグラント（UL Grant）を受信したＤＬ ＣＣとリンクされているＵＬ ＣＣで送信されることを意味する。
【００７９】
クロスキャリアスケジューリングは、ＰＤＣＣＨ（ＤＬ  Ｇｒａｎｔ）とＰＤＳＣＨとがそれぞれ異なるＤＬ ＣＣで送信されたり、ＤＬ ＣＣで送信されたＰＤＣＣＨ（ＵＬ  Ｇｒａｎｔ）に基づいて送信されるＰＵＳＣＨが、ＵＬグラントを受信したＤＬ ＣＣとリンクされているＵＬ ＣＣではなく他のＵＬ ＣＣで送信されることを意味する。
【００８０】
クロスキャリアスケジューリングは、端末固有（特定）（UE-specific）に活性化または非活性化することができ、これは、上位層シグナリング（例えば、ＲＲＣシグナリング）によって半静的（semi-static）に各端末に知らせることができる。
【００８１】
クロスキャリアスケジューリングが活性化された場合、ＰＤＣＣＨに、当該ＰＤＣＣＨが指示するＰＤＳＣＨ／ＰＵＳＣＨがどのＤＬ／ＵＬ ＣＣで送信されるかを知らせるキャリア指示子フィールド（ＣＩＦ：Carrier Indicator Field）が必要である。例えば、ＰＤＣＣＨは、ＰＤＳＣＨリソースまたはＰＵＳＣＨリソースをＣＩＦを用いて複数のコンポーネントキャリアのうちの一つに割り当てることができる。すなわち、ＤＬ ＣＣ上のＰＤＣＣＨが、（多重に）集約されたＤＬ／ＵＬ ＣＣの一つにＰＤＳＣＨまたはＰＵＳＣＨリソースを割り当てる場合、ＣＩＦが設定される。この場合、ＬＴＥ Ｒｅｌｅａｓｅ−８のＤＣＩフォーマットをＣＩＦによって拡張することができる。このとき、設定されたＣＩＦは、３ビットフィールドとして固定していたり、設定されたＣＩＦの位置は、ＤＣＩフォーマットの大きさにかかわらずに固定させることができる。また、ＬＴＥ Ｒｅｌｅａｓｅ−８のＰＤＣＣＨ構造（同一のコーディングおよび同一のＣＣＥベースのリソースマッピング）を再使用することもできる。
【００８２】
一方、ＤＬ ＣＣ上のＰＤＣＣＨが、同一のＤＬ ＣＣ上のＰＤＳＣＨリソースを割り当てたり、このＤＬ ＣＣにリンクされた単一のＵＬ ＣＣ上のＰＵＳＣＨリソースを割り当てる場合には、ＣＩＦは設定されない。この場合、ＬＴＥ Ｒｅｌｅａｓｅ−８と同一のＰＤＣＣＨ構造（同一のコーディングおよび同じＣＣＥベースのリソースマッピング）およびＤＣＩフォーマットを使用することができる。
【００８３】
クロスキャリアスケジューリングが可能な場合、端末は、ＣＣ別送信モードおよび／または帯域幅によって、モニタリングＣＣの制御領域で複数のＤＣＩに対するＰＤＣＣＨをモニタリングする必要がある。したがって、これをサポートし得る探索空間の構成およびＰＤＣＣＨモニタリングが必要である。
【００８４】
キャリアアグリゲーションシステムにおいて、端末ＤＬ ＣＣ集合（セット）（set）は、端末がＰＤＳＣＨを受信するようにスケジューリングされたＤＬ ＣＣの集合を表し、端末ＵＬ ＣＣ集合は、端末がＰＵＳＣＨを送信するようにスケジューリングされたＵＬ ＣＣの集合を表す。また、ＰＤＣＣＨモニタリング集合（セット）（monitoring set）は、ＰＤＣＣＨモニタリングを行う少なくとも一つのＤＬ ＣＣの集合を表す。ＰＤＣＣＨモニタリング集合は、端末ＤＬ ＣＣ集合と同一であってもよく、端末ＤＬ ＣＣ集合の副集合（サブセット）（subset）であってもよい。ＰＤＣＣＨモニタリング集合は、端末ＤＬ ＣＣ集合のＤＬ ＣＣのうち少なくとも一つを含むことができる。あるいは、ＰＤＣＣＨモニタリング集合は、端末ＤＬ ＣＣ集合に関係なく別個として定義されるようにしてもよい。ＰＤＣＣＨモニタリング集合に含まれるＤＬ ＣＣは、リンクされたＵＬ ＣＣに対するセルフスケジューリング（self-scheduling）が常に可能なように設定することができる。このような、端末ＤＬ ＣＣ集合、端末ＵＬ ＣＣ集合およびＰＤＣＣＨモニタリング集合は、端末固有（特定の）（UE-specific）、端末グループ固有（特定の）（UE group-specific）またはセル固有（特定の）（Cell-specific）に設定することができる。
【００８５】
クロスキャリアスケジューリングが非活性化されたということは、ＰＤＣＣＨモニタリング集合が常に端末ＤＬ ＣＣ集合と同一であることを意味し、この場合には、ＰＤＣＣＨモニタリング集合に関する別のシグナリングのような指示が不要である。しかし、クロスキャリアスケジューリングが活性化された場合には、ＰＤＣＣＨモニタリング集合が端末ＤＬ ＣＣ集合内で定義されることが好ましい。すなわち、端末に対してＰＤＳＣＨまたはＰＵＳＣＨをスケジューリングするために、基地局は、ＰＤＣＣＨモニタリング集合でのみＰＤＣＣＨを送信する。
【００８６】
図６は、本発明の実施例で用いられるクロスキャリアスケジューリングによるＬＴＥ−Ａシステムのサブフレーム構造を示す図である。
【００８７】
図６を参照すると、ＬＴＥ−Ａ端末のためのＤＬサブフレームは、３個の下りリンクコンポーネントキャリア（ＤＬ ＣＣ）が集約されており、ＤＬ ＣＣ‘Ａ’は、ＰＤＣＣＨモニタリングＤＬ ＣＣとして設定されている。ＣＩＦが用いられない場合、各ＤＬ ＣＣは、ＣＩＦ無しで、自体のＰＤＳＣＨをスケジューリングするＰＤＣＣＨを送信することができる。一方、ＣＩＦが上位層シグナリングによって用いられる場合には、一つのＤＬ ＣＣ‘Ａ’のみが、ＣＩＦを用いて、自体のＰＤＳＣＨまたは他のＣＣのＰＤＳＣＨをスケジューリングするＰＤＣＣＨを送信することができる。このとき、ＰＤＣＣＨモニタリングＤＬ ＣＣとして設定されていないＤＬ ＣＣ‘Ｂ’および‘Ｃ’はＰＤＣＣＨを送信しない。
【００８８】
１．３  ＰＤＣＣＨ（Physical Downlink Control CHannel）
１．３．１  ＰＤＣＣＨ一般
ＰＤＣＣＨは、ＤＬ−ＳＣＨ（DownLink Shared CHannel）のリソース割り当ておよび送信フォーマット（すなわち、下りリンクグラント（DL-Grant））情報、ＵＬ−ＳＣＨ（UpLink Shared CHannel）のリソース割り当て情報（すなわち、上りリンクグラント（UL-Grant））、ＰＣＨ（Paging CHannel）におけるページング（paging）情報、ＤＬ−ＳＣＨにおけるシステム情報、ＰＤＳＣＨで送信されるランダムアクセス応答（random access response）などの上位レイヤ（upper-layer）制御メッセージに対するリソース割り当て、任意の端末グループ内の個別端末に対する送信電力制御コマンドの集合、ＶｏＩＰ（Voice over IP）活性化の有無に関する情報などを運ぶことができる。
【００８９】
複数のＰＤＣＣＨを制御領域内で送信することができ、端末は複数のＰＤＣＣＨをモニタすることができる。ＰＤＣＣＨは、１つまたは複数の連続したＣＣＥ（Control Channel Elements）の集合（アグリゲーション）（aggregation）で構成される。１つまたは複数の連続したＣＣＥの集合で構成されたＰＤＣＣＨは、サブブロックインターリービング（subblock interleaving）を経た後、制御領域を通して送信することができる。ＣＣＥは、無線チャネルの状態による符号化率をＰＤＣＣＨに提供するために使われる論理的割り当て単位である。ＣＣＥは、複数のリソース要素グループ（ＲＥＧ：Resource Element Group）に対応する。ＣＣＥの数とＣＣＥによって提供される符号化率との関係によってＰＤＣＣＨのフォーマットおよび利用可能なＰＤＣＣＨのビット数が決定される。
【００９０】
１．３．２  ＰＤＣＣＨ構造
複数の端末に関する多重化された複数のＰＤＣＣＨが制御領域内で送信されてもよい。ＰＤＣＣＨは１つまたは複数の連続したＣＣＥの集合（CCE aggregation）で構成される。ＣＣＥは、４個のリソース要素で構成されたＲＥＧの９個のセットに対応する単位を指す。各ＲＥＧには４個のＱＰＳＫ（Quadrature Phase Shift Keying）シンボルがマッピングされる。参照信号（ＲＳ：Reference Signal）が占める（によって占有された）（occupied by）リソース要素はＲＥＧに含まれない。すなわち、ＯＦＤＭシンボル内でＲＥＧの総個数は、セル固有参照信号が存在するか否かによって異なってくることがある。４個のリソース要素を１つのグループにマッピングするＲＥＧの概念は、他の下り制御チャネル（例えば、ＰＣＦＩＣＨまたはＰＨＩＣＨ）にも適用することができる。ＰＣＦＩＣＨまたはＰＨＩＣＨに割り当てられないＲＥＧをＮREGとすれば、システムで利用可能なＣＣＥの個数は
【数１】
0006370808.tif 000003
であり、各ＣＣＥは０からＮCCE−１までのインデックスを有する。
【００９１】
端末のデコーティングプロセスを単純化するために、ｎ個のＣＣＥを含むＰＤＣＣＨフォーマットは、ｎの倍数と同じインデックスを有するＣＣＥから開始することができる。すなわち、ＣＣＥインデックスがｉである場合、ｉ  ｍｏｄ  ｎ＝０を満たすＣＣＥから開始することができる。
【００９２】
基地局は、１つのＰＤＣＣＨ信号を構成するために｛１，２，４，８｝個のＣＣＥを使用することができ、ここで、｛１，２，４，８｝をＣＣＥアグリゲーション（集合）レベル（aggregation level）と呼ぶ。特定のＰＤＣＣＨの送信のために使われるＣＣＥの個数は、チャネル状態によって基地局で決定される。例えば、良好な下りチャネル状態（基地局に近接している場合）を有する端末のためのＰＤＣＣＨは、１つのＣＣＥだけで十分でありうる。一方、良くないチャネル状態（セル境界にある場合）を有する端末の場合は、８個のＣＣＥが十分なロバスト性（堅牢さ）（robustness）のために要求されることがある。しかも、ＰＤＣＣＨの電力レベルも、チャネル状態にマッチングして調節されてもよい。
【００９３】
下記の表２にＰＤＣＣＨフォーマットを示す。ＣＣＥアグリゲーションレベルによって表２のように４つのＰＤＣＣＨフォーマットがサポートされる。
【００９４】
【表２】
0006370808.tif 000004
【００９５】
端末ごとにＣＣＥアグリゲーションレベルが異なる理由は、ＰＤＣＣＨに乗せられる制御情報のフォーマットまたはＭＣＳ（Modulation and Coding Scheme）レベルが異なるためである。ＭＣＳレベルは、データコーディングに用いられるコードレート（code rate）および変調次数（modulation order）を意味する。適応的なＭＣＳレベルは、リンク適応（link adaptation）のために用いられる。一般に、制御情報を送信する制御チャネルでは３〜４個程度のＭＣＳレベルを考慮することができる。
【００９６】
制御情報のフォーマットを説明すると、ＰＤＣＣＨを介して送信される制御情報を下り制御情報（ＤＣＩ）という。ＤＣＩフォーマットによってＰＤＣＣＨペイロード（payload）に乗せられる情報の構成が異なることがある。ＰＤＣＣＨペイロードは、情報ビット（information bit）を意味する。下記の表３は、ＤＣＩフォーマットによるＤＣＩを示すものである。
【００９７】
【表３】
0006370808.tif 000005
【００９８】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードのコンパクト（簡単）な（compact）スケジューリングのためのフォーマット１Ａ、ＤＬ−ＳＣＨの非常にコンパクトなスケジューリングのためのフォーマット１Ｃ、閉ループ（Closed-loop）空間多重化（spatial multiplexing）モードにおけるＰＤＳＣＨスケジューリングのためのフォーマット２、開ループ（Open loop）空間多重化モードにおけるＰＤＳＣＨスケジューリングのためのフォーマット２Ａ、ＤＭ−ＲＳを用いた２つのレイヤ送信のためのフォーマット２Ｂ、ＤＭ−ＲＳを用いたマルチレイヤ送信のためのフォーマット２Ｃ、上りリンクチャネルのためのＴＰＣ（Transmission Power Control）コマンドの送信のためのフォーマット３および３Ａがある。また、マルチアンテナポート送信モードでＰＵＳＣＨスケジューリングのためのＤＣＩフォーマット４が追加された。ＤＣＩフォーマット１Ａは、端末にいかなる送信モードが設定されても、ＰＤＳＣＨスケジューリングのために用いることができる。
【００９９】
ＤＣＩフォーマットによってＰＤＣＣＨペイロードの長さが変わることがある。また、ＰＤＣＣＨペイロードの種類およびそれによる長さは、コンパクト（簡単な）（compact）スケジューリングであるか否か、または端末に設定された送信モード（transmission mode）などによって変わることがある。
【０１００】
送信モードは、端末がＰＤＳＣＨを介した下りリンクデータを受信するように設定（configuration）することができる。例えば、ＰＤＳＣＨを介した下りリンクデータには、端末にスケジューリングされたデータ（scheduled data）、ページング、ランダムアクセス応答、またはＢＣＣＨを介したブロードキャスト情報などがある。ＰＤＳＣＨを介した下りリンクデータは、ＰＤＣＣＨを介してシグナリングされるＤＣＩフォーマットと関係がある。送信モードは、上位層シグナリング（例えば、ＲＲＣ（Radio Resource Control）シグナリング）によって端末に半静的に（semi-statically）設定することができる。送信モードは、シングルアンテナ送信（Single antenna transmission）またはマルチアンテナ（Multi-antenna）送信として分類できる。
【０１０１】
端末は、上位層シグナリングによって半静的（semi-static）に送信モードが設定される。例えば、マルチアンテナ送信には、送信ダイバーシティ（Transmit diversity）、開ループ（Open-loop）または閉ループ（Closed-loop）空間多重化（Spatial multiplexing）、ＭＵ−ＭＩＭＯ（Multi-user-Multiple Input Multiple Output）、およびビーム形成（Beamforming）などがある。送信ダイバーシティは、マルチ送信アンテナで同一のデータを送信して送信信頼度を高める技術である。空間多重化は、マルチ送信アンテナで互いに異なるデータを同時に送信し、システムの帯域幅を増加させることなく高速のデータを送信できる技術である。ビーム形成は、マルチアンテナでチャネル状態による加重値を与えて信号のＳＩＮＲ（Signal to Interference plus Noise Ratio）を増大させる技術である。
【０１０２】
ＤＣＩフォーマットは、端末に設定された送信モードに依存する。端末は、自体に設定された送信モードによってモニタする参照（Reference）ＤＣＩフォーマットがある。次の通り、端末に設定される送信モードは１０個の送信モードを有することができる。
・ 送信モード１：単一アンテナ送信
・ 送信モード２：送信ダイバーシティ
・ 送信モード３：レイヤが１つより多い場合には開ループ（open-loop）コードブックベースのプリコーディング、ランクが１の場合には送信ダイバーシティ
・ 送信モード４：閉ループ（closed-loop）コードブックベースのプリコーディング
・ 送信モード５：送信モード４バージョンのマルチユーザ（multi-user）ＭＩＭＯ
・ 送信モード６：単一レイヤ送信に制限された特殊な場合の閉ループコードブックベースのプリコーディング
・ 送信モード７：単一レイヤ送信のみをサポートするコードブックに基づかないプリコーディング（ｒｅｌｅａｓｅ  ８）
・ 送信モード８：最大２つのレイヤまでサポートするコードブックに基づかないプリコーディング（ｒｅｌｅａｓｅ  ９）
・ 送信モード９：最大８つのレイヤまでサポートするコードブックに基づかないプリコーディング（ｒｅｌｅａｓｅ  １０）
・ 送信モード１０：最大８つのレイヤまでサポートするコードブックに基づかないプリコーディング、ＣＯＭＰ用途（ｒｅｌｅａｓｅ  １１）
【０１０３】
１．３．３  ＰＤＣＣＨ送信
基地局は、端末に送信しようとするＤＣＩによってＰＤＣＣＨフォーマットを決定し、制御情報にＣＲＣ（Cyclic Redundancy Check）を付加する。ＣＲＣは、ＰＤＣＣＨの所有者（owner）や用途によって固有の識別子（例えば、ＲＮＴＩ（Radio Network Temporary Identifier））でマスクする。特定の端末のためのＰＤＣＣＨであれば、端末固有の識別子（例えば、Ｃ−ＲＮＴＩ（Cell-RNTI））をＣＲＣにマスクすることができる。あるいは、ページングメッセージのためのＰＤＣＣＨであれば、ページング指示識別子（例えば、Ｐ−ＲＮＴＩ（Paging-RNTI））をＣＲＣにマスクすることができる。システム情報、より具体的にはシステム情報ブロック（ＳＩＢ：system information block）のためのＰＤＣＣＨであれば、システム情報識別子（例えば、ＳＩ−ＲＮＴＩ（system information RNTI））をＣＲＣにマスクすることができる。端末のランダムアクセスプリアンブルの送信に対する応答であるランダムアクセス応答を示すためにＲＡ−ＲＮＴＩ（random access-RNTI）をＣＲＣにマスクすることができる。
【０１０４】
続いて、基地局は、ＣＲＣの付加された制御情報にチャネルコーディングを行って符号化されたデータ（coded data）を生成する。このとき、ＭＣＳレベルによるコードレートでチャネルコーディングを行うことができる。基地局は、ＰＤＣＣＨフォーマットに割り当てられたＣＣＥアグリゲーションレベルによる伝送率マッチング（rate matching）を行い、符号化されたデータを変調して変調シンボルを生成する。この時、ＭＣＳレベルによる変調次数（order）を用いることができる。１つのＰＤＣＣＨを構成する変調シンボルは、ＣＣＥアグリゲーションレベルが１、２、４、８のいずれか一つであってもよい。その後、基地局は、変調シンボルを物理リソース要素にマッピング（CCE to RE mapping）する。
【０１０５】
１．４参照信号（ＲＳ：Reference Signal）
以下では、本発明の実施例で利用可能な参照信号について説明する。
【０１０６】
図７は、本発明の実施例で利用可能なセル固有参照信号（ＣＲＳ：Cell specific Reference Signal）が割り当てられたサブフレームの一例を示す図である。
【０１０７】
図７には、システムにおいて４個のアンテナをサポートする場合におけるＣＲＳの割り当て構造を示す。３ＧＰＰ ＬＴＥ／ＬＴＥ−ＡシステムにおいてＣＲＳは、デコーディングおよびチャネル状態測定を目的に用いられる。このため、ＣＲＳは、ＰＤＳＣＨ送信をサポートするセル（cell）内の全ての下りリンクサブフレームで全下りリンク帯域幅にわたって送信され、基地局（ｅＮＢ）に構成された全てのアンテナポートで送信される。
【０１０８】
具体的には、ＣＲＳシーケンスは、スロットｎsでアンテナポートｐのための参照シンボルとして用いられる複素変調シンボル（complex-valued modulation symbols）にマッピングされる。
【０１０９】
ＵＥは、ＣＲＳを用いてＣＳＩを測定することができ、ＣＲＳを用いて、ＣＲＳを含むサブフレームでＰＤＳＣＨを介して受信した下りリンクデータ信号を復調（デコード）する（demodulate）ことができる。すなわち、ｅＮＢは、全てのＲＢにおいて各ＲＢ内の一定の位置でＣＲＳを送信し、ＵＥは、当該ＣＲＳを基準にチャネル推定を行った後でＰＤＳＣＨを検出する。例えば、ＵＥは、ＣＲＳ ＲＥで受信した信号を測定する。ＵＥは、ＣＲＳ ＲＥ別受信エネルギとＰＤＳＣＨのマッピングされたＲＥ別受信エネルギとの比を用いて、ＰＤＳＣＨのマッピングされたＲＥからＰＤＳＣＨ信号を検出することができる。
【０１１０】
このようにＣＲＳに基づいてＰＤＳＣＨ信号を送信すると、ｅＮＢは、全てのＲＢに対してＣＲＳを送信しなければならず、余計なＲＳオーバーヘッドが発生する。このような問題点を解決するために、３ＧＰＰ ＬＴＥ−Ａシステムでは、ＣＲＳの他に、ＵＥ固有ＲＳ（以下、ＵＥ−ＲＳ）およびチャネル状態情報参照信号（ＣＳＩ−ＲＳ：Channel State Information Reference Signal）をさらに定義する。ＵＥ−ＲＳは、復調のために用いられ、ＣＳＩ−ＲＳは、チャネル状態情報を取得する（derive）ために用いられる。
【０１１１】
ＵＥ−ＲＳおよびＣＲＳは、復調のために用いられることから、用途の側面では復調用ＲＳということができる。すなわち、ＵＥ−ＲＳはＤＭ−ＲＳ（DeModulation Reference Signal）の一種と見なすことができる。また、ＣＳＩ−ＲＳおよびＣＲＳは、チャネル測定もしくはチャネル推定に用いられることから、用途の側面ではチャネル状態測定用ＲＳということができる。
【０１１２】
図８は、本発明の実施例で利用可能なＣＳＩ−ＲＳがアンテナポートの個数によって割り当てられたサブフレームの一例を示す図である。
【０１１３】
ＣＳＩ−ＲＳは、復調の目的ではなく無線チャネルの状態測定の目的で３ＧＰＰ ＬＴＥ−Ａシステムに導入された下りリンク参照信号である。３ＧＰＰ ＬＴＥ−Ａシステムは、ＣＳＩ−ＲＳ送信のために複数のＣＳＩ−ＲＳ設定を定義している。ＣＳＩ−ＲＳ送信が構成されたサブフレームにおいてＣＳＩ−ＲＳシーケンスは、アンテナポートｐ上の参照シンボルとして用いられる複素変調シンボルにマッピングされる。
【０１１４】
図８（ａ）は、ＣＳＩ−ＲＳ構成のうち、２個のＣＳＩ−ＲＳポートによるＣＳＩ−ＲＳ送信に利用可能な２０種のＣＳＩ−ＲＳ構成０〜１９を示し、図８（ｂ）は、ＣＳＩ−ＲＳ構成のうち、４個のＣＳＩ−ＲＳポートによって利用可能な１０種のＣＳＩ−ＲＳ構成０〜９を示し、図８（ｃ）は、ＣＳＩ−ＲＳ構成のうち、８個のＣＳＩ−ＲＳポートによって利用可能な５種のＣＳＩ−ＲＳ構成０〜４を示している。
【０１１５】
ここで、ＣＳＩ−ＲＳポートは、ＣＳＩ−ＲＳ送信のために設定されたアンテナポートを意味する。ＣＳＩ−ＲＳポートの個数によってＣＳＩ−ＲＳ構成が異なってくるため、ＣＳＩ−ＲＳ構成番号が同一であっても、ＣＳＩ−ＲＳ送信のために構成されたアンテナポートの個数が異なると、異なったＣＳＩ−ＲＳ構成となる。
【０１１６】
一方、ＣＳＩ−ＲＳは、サブフレームごとに送信されるように構成されたＣＲＳとは違い、複数のサブフレームに該当する所定の送信周期ごとに送信されるように設定される。このため、ＣＳＩ−ＲＳ構成は、リソースブロック対においてＣＳＩ−ＲＳが占めるＲＥの位置だけでなく、ＣＳＩ−ＲＳが設定されるサブフレームによっても異なってくる。
【０１１７】
また、ＣＳＩ−ＲＳ構成番号が同一であっても、ＣＳＩ−ＲＳ送信のためのサブフレームが異なると、ＣＳＩ−ＲＳ構成も異なると見なすことができる。例えば、ＣＳＩ−ＲＳ送信周期（ＴCSI-RS）が異なるか、または１つの無線フレーム内でＣＳＩ−ＲＳ送信が構成された開始サブフレーム（ΔCSI-RS）が異なると、ＣＳＩ−ＲＳ構成が異なると見なすことができる。
【０１１８】
以下では、（１）ＣＳＩ−ＲＳ構成番号が与えられたＣＳＩ−ＲＳ構成と、（２）ＣＳＩ−ＲＳ構成番号、ＣＳＩ−ＲＳポートの個数および／またはＣＳＩ−ＲＳが構成されたサブフレームによって異なるＣＳＩ−ＲＳ構成と、を区別するために、後者（２）の構成をＣＳＩ−ＲＳリソース構成（CSI-RS resource configuration）と呼ぶ。前者（１）の設定は、ＣＳＩ−ＲＳ構成またはＣＳＩ−ＲＳパターンと呼ぶ。
【０１１９】
ｅＮＢは、ＵＥにＣＳＩ−ＲＳリソース構成を知らせる際、ＣＳＩ−ＲＳの送信のために用いられるアンテナポートの個数、ＣＳＩ−ＲＳパターン、ＣＳＩ−ＲＳサブフレーム構成（CSI-RS subframe configuration）ＩCSI-RS、ＣＳＩフィードバックのための参照ＰＤＳＣＨ送信電力に関するＵＥ仮定（UE assumption on reference PDSCH transmitted power for CSI feedback）Ｐc、ゼロパワーＣＳＩ−ＲＳ構成リスト、ゼロパワーＣＳＩ−ＲＳサブフレーム構成などに関する情報を知らせることができる。
【０１２０】
ＣＳＩ−ＲＳサブフレーム構成インデックスＩCSI-RSは、ＣＳＩ−ＲＳの存在（occurrence）に関するサブフレーム構成周期ＴCSI-RSおよびサブフレームオフセットΔCSI-RSを特定する情報である。次の表４は、ＴCSI-RSおよびΔCSI-RSによるＣＳＩ−ＲＳサブフレーム構成インデックスＩCSI-RSを例示するものである。
【０１２１】
【表４】
0006370808.tif 000006
【０１２２】
このとき、次の数式１を満たすサブフレームが、ＣＳＩ−ＲＳを含むサブフレームとなる。
【０１２３】
【数２】
0006370808.tif 000007
【０１２４】
３ＧＰＰ ＬＴＥ−Ａシステム以降に定義された送信モード（例えば、送信モード９もしくはその他の新しく定義される送信モード）として設定されたＵＥは、ＣＳＩ−ＲＳを用いてチャネル測定を行い、ＵＥ−ＲＳを用いてＰＤＳＣＨを復号することができる。
【０１２５】
図９は、本発明の実施例において利用可能なＵＥ固有参照信号（ＵＥ−ＲＳ）が割り当てられたサブフレームの一例を示す図である。
【０１２６】
図９を参照すると、このサブフレームは、標準（正規）（normal）ＣＰを有する標準（正規）下りリンクサブフレームのリソースブロック対におけるＲＥのうち、ＵＥ−ＲＳが占めるＲＥを例示している。
【０１２７】
ＵＥ−ＲＳは、ＰＤＳＣＨ信号の送信のためにサポートされるものであり、アンテナポートとして、ｐ＝５、ｐ＝７、ｐ＝８、もしくはｐ＝７，８，．．．，υ＋６（ここで、υは、上記ＰＤＳＣＨの送信のために用いられるレイヤの数）を用いることができる。ＵＥ−ＲＳは、ＰＤＳＣＨ送信が対応するアンテナポートと関連付けられる場合に存在し、ＰＤＳＣＨ信号の復調（demodulation）にのみ有効な（valid）参照信号である。
【０１２８】
ＵＥ−ＲＳは、対応するＰＤＳＣＨ信号がマッピングされたＲＢ上でのみ送信される。すなわち、ＵＥ−ＲＳは、ＰＤＳＣＨが存在するか否かに関係なくサブフレームごとに送信されるように設定されたＣＲＳとは違い、ＰＤＳＣＨがスケジューリングされたサブフレームでＰＤＳＣＨがマッピングされたＲＢでのみ送信されるように設定される。また、ＵＥ−ＲＳは、ＰＤＳＣＨのレイヤの数と関係なく全てのアンテナポートで送信されるＣＲＳとは違い、ＰＤＳＣＨのレイヤにそれぞれ対応するアンテナポートのみで送信される。このため、ＵＥ−ＲＳを用いると、ＣＲＳに比べてＲＳのオーバーヘッドを減少させることができる。
【０１２９】
３ＧＰＰ ＬＴＥ−Ａシステムにおいて、ＵＥ−ＲＳはＰＲＢ対で定義される。図９を参照すると、ｐ＝７、ｐ＝８もしくはｐ＝７，８，．．．，υ＋６に対して、対応するＰＤＳＣＨ送信のために割り当て（assign）られた周波数−ドメインインデックスｎPRBを有するＰＲＢにおいて、ＵＥ−ＲＳシーケンスの一部が特定のサブフレームで複素変調シンボルにマッピングされる。
【０１３０】
ＵＥ−ＲＳは、ＰＤＳＣＨのレイヤにそれぞれ対応するアンテナポートで送信される。すなわち、ＵＥ−ＲＳポートの個数は、ＰＤＳＣＨの送信ランクに比例することがわかる。一方、レイヤの数が１または２である場合には、ＲＢ対別に１２個のＲＥがＵＥ−ＲＳ送信に用いられ、レイヤの数が２よりも多い場合には、ＲＢ対別に２４個のＲＥがＵＥ−ＲＳ送信に用いられる。また、ＵＥもしくはセルに関係なくＲＢ対でＵＥ−ＲＳが占めるＲＥ（すなわち、ＵＥ−ＲＳ ＲＥ）の位置は、各ＵＥ−ＲＳポートに関して同一である。
【０１３１】
つまり、特定のサブフレームにおいて特定のＵＥのためのＰＤＳＣＨがマッピングされたＲＢでは、ＤＭ−ＲＳ ＲＥの個数は同一である。ただし、同一のサブフレームに、互いに異なるＵＥに割り当てられたＲＢでは、送信されるレイヤの数によって、これらのＲＢに含まれるＤＭ−ＲＳ ＲＥの個数は異なってもよい。
【０１３２】
２．  新キャリアタイプ（ＮＣＴ）で用いられるＰＱＩおよびＱＣＬ
２．１  新キャリアタイプ（ＮＣＴ）の概要
レガシシステムであるＬＴＥリリース（Ｒｅｌｅａｓｅ）８／９／１０／１１システムでは、下りリンクコンポーネントキャリアを通じてセル固有参照信号（ＣＲＳ：Cell Specific Reference signal）、プライマリ（主）同期信号（ＰＳＳ：Primary Synchronization Signal）、セカンダリ（副）同期信号（ＳＳＳ：Secondary Synchronization Signal）、ＰＤＣＣＨ、ＰＢＣＨなどの参照信号および制御チャネルが送信される。
【０１３３】
しかし、次期無線接続システムでは、複数のセル間の干渉問題の改善およびキャリア拡張性の向上などの理由で、ＣＲＳ、ＰＳＳ／ＳＳＳ、ＰＤＣＣＨ、ＰＢＣＨなどの一部または全部が送信されない下りリンクコンポーネントキャリアを導入することができる。本発明の実施例では、このようなキャリアを、便宜上、拡張キャリア（extension carrier）または新（ニュー）キャリアタイプ（ＮＣＴ：New Carrier Type）として定義する。
【０１３４】
本発明で説明するＮＣＴは、基地局においてＣＡをサポートする場合に、Ｓセルの一つであってもよく、ＣｏＭＰをサポートする場合に、ＮＣＴは、近隣基地局においてデータ協調送信のために提供するキャリアであってもよい。また、ＮＣＴは、スモールセルであり、レファレンス（参照）（reference）セル（例えば、Ｐセル）に同期したセルであってもよい。特に、本発明の実施例において、ＮＣＴは第２のＣＣと呼ぶことができる。
【０１３５】
以下の実施例では、ＮＣＴにおいてＤＣＩフォーマット２ＤおよびＱＣＬを運用する方法について具体的に説明する。
【０１３６】
２．２  擬似コロケーション（ＱＣＬ：Quasi Co-Location）
以下では、アンテナポート間ＱＣＬについて説明する。
【０１３７】
アンテナポート間でＱＣＬされているということは、“端末が一つのアンテナポートから受信する信号（または、当該アンテナポートに対応する無線チャネル）の広範囲特性（large-scale properties）が、他のアンテナポートから受信する信号（または、当該アンテナポートに対応する無線チャネル）の広範囲特性と全てまたは一部が同一であると仮定できるということ”を意味する。ここで、広範囲特性は、周波数オフセットに関連するドップラ拡散（Doppler spread）、ドップラシフト（Doppler shift）、タイミングオフセットに関連する平均遅延（average delay）、遅延拡散（delay spread）などを含み、平均利得（average gain）をさらに含むことができる。
【０１３８】
ＱＣＬの定義によれば、端末は、ＱＣＬされていないアンテナポート、すなわち、ＮＱＣＬ（Non Quasi co-Located）されたアンテナポート間において広範囲特性が同一であると仮定することができない。この場合、端末は、アンテナポート別に周波数オフセットおよびタイミングオフセットなどを取得するためのトラッキング（tracking）手順を独立して行わなければならない。
【０１３９】
一方、ＱＣＬされているアンテナポート間では、端末が次のような動作を行うことができるという長所がある。
【０１４０】
１）端末が、特定のアンテナポートに対応する無線チャネルに関する電力−遅延プロファイル（power-delay profile）、遅延拡散、ドップラスペクトル（Doppler spectrum）およびドップラ拡散推定結果を、他のアンテナポートに対応する無線チャネルに関するチャネル推定時に用いられるウィナーフィルタ（Wiener filter）パラメータなどに同一に適用することができる。
【０１４１】
２）また、端末は、特定のアンテナポートに対する時間同期および周波数同期を獲得した後、同一の同期を他のアンテナポートに対しても適用することができる。
【０１４２】
３）最後に、平均利得に関しても、端末は、ＱＣＬされているアンテナポートのそれぞれに関するＲＳＲＰ（Reference Signal Received Power）測定値を平均値として計算するできる。
【０１４３】
例えば、端末がＰＤＣＣＨ（または、Ｅ−ＰＤＣＣＨ）を介してＤＭ−ＲＳベースの下りリンクデータチャネルスケジューリング情報（例えば、ＤＣＩフォーマット２Ｃ）を受信すると、端末は、上記スケジューリング情報で指示するＤＭ−ＲＳシーケンスからＰＤＳＣＨに関するチャネル推定を行った後、データ復調を行う場合を仮定する。
【０１４４】
この場合、端末が下りリンクデータチャネルを復調するためのＤＭ−ＲＳアンテナポートがサービングセルのＣＲＳアンテナポートとＱＣＬされていると、端末は、当該ＤＭ−ＲＳアンテナポートを用いたチャネル推定時に、自体のＣＲＳアンテナポートから推定した無線チャネルの広範囲特性をそのまま適用し、ＤＭ−ＲＳベースの下りリンクデータチャネル受信性能（パフォーマンス）（performance）を向上させることができる。
【０１４５】
同様に、端末が下りリンクデータチャネルを復調するためのＤＭ−ＲＳアンテナポートがサービングセルのＣＳＩ−ＲＳアンテナポートとＱＣＬされていると、端末は、当該ＤＭ−ＲＳアンテナポートを用いたチャネル推定時に、サービングセルのＣＳＩ−ＲＳアンテナポートから推定した無線チャネルの広範囲特性をそのまま適用し、ＤＭ−ＲＳベースの下りリンクデータチャネル受信性能を向上させることができる。
【０１４６】
一方、ＬＴＥシステムでは、ＣｏＭＰモードである送信モード１０で下りリンク信号を送信するとき、基地局が上位層信号を用いてＱＣＬタイプＡおよびＱＣＬタイプＢのいずれか一方を端末に設定するように定義している。
【０１４７】
ここで、ＱＣＬタイプＡは、ＣＲＳ、ＤＭ−ＲＳおよびＣＳＩ−ＲＳのアンテナポートが、平均利得以外の広範囲特性がＱＣＬされていると仮定するものであり、同一のノード（point）で物理チャネルおよび信号が送信されていることを意味する。
【０１４８】
一方、ＱＣＬタイプＢは、ＤＰＳ（Dynamic Point Selection）、ＪＴ（Joint Transmission）などのＣｏＭＰ送信が可能なように、端末当たり最大４個までのＱＣＬモードを上位層メッセージを用いて設定し、これらのモードのうちいずれのＱＣＬモードで下りリンク信号を受信すべきかを、ＤＣＩ（Downlink Control Information）のＰＱＩフィールドを用いて動的に設定するように定義されている。
【０１４９】
ＱＣＬタイプＢが設定された場合におけるＤＰＳ送信に関してより具体的に説明する。
【０１５０】
まず、Ｎ１個のアンテナポートで構成されたノード＃１は、ＣＳＩ−ＲＳリソース（resource）＃１を送信し、Ｎ２個のアンテナポートで構成されたノード＃２は、ＣＳＩ−ＲＳリソース（resource）＃２を送信すると仮定する。この場合、ＣＳＩ−ＲＳリソース＃１をＱＣＬモードパラメータセット＃１に含め、ＣＳＩ−ＲＳリソース＃２をＱＣＬモードパラメータセット＃２に含める。また、基地局は、ノード＃１とノード＃２との共通カバレッジ内に存在する端末に、上位層信号を用いてパラメータセット＃１およびパラメータセット＃２を設定する。
【０１５１】
その後、基地局は、該当の端末にノード＃１を介してデータ（すなわち、ＰＤＳＣＨ）を送信するときＤＣＩを用いてパラメータセット＃１を設定し、ノード＃２を介してデータを送信するときパラメータセット＃２を設定する方式で、ＤＰＳを行うことができる。端末の立場では、ＤＣＩによってパラメータセット＃１が設定されると、ＣＳＩ−ＲＳリソース＃１とＤＭ−ＲＳとがＱＣＬされていると仮定し、パラメータセット＃２が設定されると、ＣＳＩ−ＲＳリソース＃２とＤＭ−ＲＳとがＱＣＬされていると仮定することができる。
【０１５２】
２．２．１  ＤＣＩフォーマット２Ｄ
ＤＣＩフォーマット２Ｄは、ＬＴＥ−Ａ Ｒｅｌ−１１システムにおいて下りリンク送信をサポートするために新しく定義された。特に、ＤＣＩフォーマット２Ｄは、基地局間協調通信（ＣｏＭＰ：Coordination Multi-Point）をサポートするために定義されたものであり、送信モード１０に関連している。すなわち、割り当てられたサービングセルに対して送信モード１０で構成された端末が、検出されたＤＣＩフォーマット２Ｄを含むＰＤＣＣＨ／ＥＰＤＣＣＨ信号に基づいてＰＤＳＣＨをデコード（復号）する（decode）ために、上位層シグナリングを用いて４個までのパラメータセットを構成することができる。ＤＣＩフォーマット２Ｄに含まれる各フィールドに関する詳細な説明は、３ＧＰＰ ＴＳ ３６．２１２ ｖ１１．３文書の５．３．３．１．５Ｄ節を参考することができる。
【０１５３】
次の表５は、ＤＣＩフォーマット２Ｄに含まれるＰＱＩ（PDSCH RE Mapping and Quasi-Co-Location Indicator）フィールドの一例を示すものである。
【０１５４】
【表５】
0006370808.tif 000008
【０１５５】
次の表６に開示されたパラメータは、ＰＤＳＣＨ ＲＥマッピングおよびＰＤＳＣＨアンテナポート擬似コロケーション（ＱＣＬ）を決定するためのパラメータである。表５において、ＰＱＩフィールドは、上位層シグナリングを通じて構成される各パラメータセットを指示する。
【０１５６】
【表６】
0006370808.tif 000009
【０１５７】
表６を参照すると、‘ｃｒｓ−ＰｏｒｔｓＣｏｕｎｔ−ｒ１１’パラメータは、ＤＰＳＣＨ ＲＥマッピングのためのＣＲＳアンテナポートの個数を表し、‘ｃｒｓ−ＦｒｅｑＳｈｉｆｔ−ｒ１１’パラメータは、ＰＤＳＣＨ ＲＥマッピングのためのＣＲＳ周波数シフト（遷移）（shift）値を表し、‘ｍｂｓｆｎ−ＳｕｂｆｒａｍｅＣｏｎｆｉｇＬｉｓｔ−ｒ１１’パラメータは、ＰＤＳＣＨ ＲＥマッピングに関するＭＢＳＦＮサブフレーム構成を表す。また、‘ｃｓｉ−ＲＳ−ＣｏｎｆｉｇＺＰＩｄ−ｒ１１’パラメータは、ＰＤＳＣＨ ＲＥマッピングに関するゼロパワーＣＳＩ−ＲＳリソース構成を表し、‘ｐｄｓｃｈ−Ｓｔａｒｔ−ｒ１１’パラメータは、ＰＤＳＣＨ ＲＥマッピングに関するＰＤＳＣＨ開始位置を表し、‘ｑｃｌ−ＣＳＩ−ＲＳ−ＣｏｎｆｉｇＮＺＰＩｄ−ｒ１１’パラメータは、ＱＣＬに関するＣＳＩ−ＲＳリソース構成を識別するために用いられる。
【０１５８】
表５で、パラメータセット１，２，３，４は、表６に開示されたパラメータの組合せで構成され、各パラメータセットに含まれるパラメータの組合せに関する情報は、上位層シグナリングで端末に通知される。
【０１５９】
２．３  ＮＣＴで用いられる新しいＰＱＩの定義
レガシシステムは、ＣＲＳ、ＰＤＣＣＨなどの送信をサポートするが、次期システムは、ＣＲＳ、ＰＤＣＣＨなどの送信をサポートしないＮＣＴを導入することによってデータ送信の効率を向上させることができる。また、ＮＣＴにおいて、レガシシステムで用いられるＣＲＳのアンテナポートと同一のＲＥにマッピングされるが、復調（demodulation）には用いられない新しい参照信号を定義する。例えば、新しい参照信号は、時間／周波数トラッキング（すなわち、時間／周波数の同期獲得）のためにのみ用いられるＲＳであることから、本発明の実施例では、ＴＲＳ（Tracking Reference Signal）と呼ぶこととする。
【０１６０】
ＴＲＳは、ＮＣＴ内で周期的に（例えば、５ｍｓ周期）送信することができる。ＬＴＥ Ｒ−１１システムでは、ＣｏＭＰ（Coordination Multi-Point）動作をサポートするために送信モード（ＴＭ）１０が定義される。ここで、ＰＱＩ情報は、ＰＤＳＣＨレートマッチングのためにＤＣＩフォーマット２Ｄに含まれる。このとき、ＰＱＩ情報は２ビットで４つの状態を表し（１．４節参照）、各状態は、上位層で設定した情報の組合せを表す。
【０１６１】
ＮＣＴでは、ＣＲＳの代わりに、ＣＲＳのアンテナポートに該当するＲＥで周期的にＴＲＳが送信される。そこで、本発明の実施例では、ＮＣＴで用いられるＰＱＩ情報の新しい設定および解釈方法を提供する。特に、ＰＱＩ情報をＮＣＴに適するように縮約した形態で再構成することができる。
【０１６２】
２．３．１  ‘ｃｒｓ−ＰｏｒｔｓＣｏｕｎｔ−ｒ１１’パラメータの再構成
表６において、ＤＰＳＣＨ ＲＥマッピングのためのＣＲＳアンテナポートの個数を表す‘ｃｒｓ−ＰｏｒｔｓＣｏｕｎｔ−ｒ１１’パラメータは、次のような方法で新しく定義することができる。
【０１６３】
（１）方法１
‘ｃｒｓ−ＰｏｒｔｓＣｏｕｎｔ−ｒ１１’パラメータを、‘０’または予約値（reserved value）に設定することがきる。このため、基地局は、ＴＲＳが送信されるＲＥでＰＤＳＣＨデータを送信しない。すなわち、端末は、ＰＱＩ情報からＣＲＳアンテナポートの個数を類推しない。
【０１６４】
（２）方法２
‘ｃｒｓ−ＰｏｒｔｓＣｏｕｎｔ−ｒ１１’パラメータは、ＴＲＳアンテナポート数に設定することもできる。例えば、ＴＲＳアンテナポートの個数を１に設定することができる。すなわち、ＮＣＴにおいて、端末は、ＰＤＳＣＨ ＲＥマッピングのためのＣＲＳアンテナポートの個数をＴＲＳアンテナポート数と仮定する。
【０１６５】
２．３．２  ‘ｃｒｓ−ＦｒｅｑＳｈｉｆｔ−ｒ１１’パラメータの再構成
表６において、ＰＤＳＣＨ ＲＥマッピングのためのＣＲＳ周波数シフト値を表す‘ｃｒｓ−ＦｒｅｑＳｈｉｆｔ−ｒ１１’パラメータを、次のように新しく設定することができる。
【０１６６】
（１）方法１
‘ｃｒｓ−ＦｒｅｑＳｈｉｆｔ−ｒ１１’パラメータを予約値に設定することができる。この場合、基地局は、ＮＣＴで用いられるＴＲＳの周波数シフト値を、端末に明示的に知らせたり、または端末がＴＲＳの周波数シフト値をＰＳＳ／ＳＳＳなどから取得することができる。すなわち、端末は、ＰＱＩ情報からＣＲＳ周波数シフト値を類推しない。
【０１６７】
（２）方法２
‘ｃｒｓ−ＦｒｅｑＳｈｉｆｔ−ｒ１１’パラメータをＴＲＳの周波数シフト値に設定することもできる。この場合、端末は、‘ｃｒｓ−ＦｒｅｑＳｈｉｆｔ−ｒ１１’パラメータが示すＰＤＳＣＨ ＲＥマッピングのためのＣＲＳ周波数シフト値を、ＴＲＳのための周波数シフト値と仮定することができる。
【０１６８】
２．３．３  ‘ｍｂｓｆｎ−ＳｕｂｆｒａｍｅＣｏｎｆｉｇＬｉｓｔ−ｒ１１’パラメータの再構成
表６において、ＰＤＳＣＨ ＲＥマッピングのためのＭＢＳＦＮサブフレーム構成を表す‘ｍｂｓｆｎ−ＳｕｂｆｒａｍｅＣｏｎｆｉｇＬｉｓｔ−ｒ１１’パラメータを、次のように新しく設定することができる。
【０１６９】
（１）方法１
‘ｍｂｓｆｎ−ＳｕｂｆｒａｍｅＣｏｎｆｉｇＬｉｓｔ−ｒ１１’パラメータを予約値に設定することができる。この場合、端末は、ＭＢＳＦＮとして設定されるサブフレームではＴＲＳが送信されないと仮定することができる。また、ＭＢＳＦＮとして設定されるサブフレームでＴＲＳが送信されないように設定されると、端末は、ＴＲＳアンテナポートに該当するＲＥまたはＴＲＳが送信されるＲＥでＰＤＳＣＨが送信されないと仮定することができる。
【０１７０】
（２）方法２
基地局は、‘ｍｂｓｆｎ−ＳｕｂｆｒａｍｅＣｏｎｆｉｇＬｉｓｔ−ｒ１１’パラメータを用いて、ＮＣＴで用いられるＭＢＳＦＮサブフレームを知らせることができる。仮に、ＭＢＳＦＮとして設定されるサブフレームでＴＲＳが送信されるように設定されると、端末は、当該サブフレームの一番目のＯＦＤＭシンボルおよび二番目のＯＦＤＭシンボルでＴＲＳに対するデコーディングを行い、当該サブフレームの残りのＯＦＤＭシンボルではＴＲＳが送信されないと仮定することができる。このため、残りのＯＦＤＭシンボルではＲＳのためのリソースを浪費しなくてすむ。
【０１７１】
他の方法として、端末は、ＭＢＳＦＮでＴＲＳアンテナポートに該当するＲＥまたはＴＲＳが送信されるＲＥでＰＤＳＣＨが送信されないと仮定する。また、端末は、ＭＢＳＦＮとして設定されるサブフレームでＴＲＳが送信されないように設定されると、ＴＲＳアンテナポートに該当するＲＥまたはＴＲＳが送信されるＲＥでＰＤＳＣＨが送信されると仮定する。
【０１７２】
上述した２．１．１節乃至２．１．３節を組み合わせて用いることもできる。例えば、‘ｃｒｓ−ＰｏｒｔｓＣｏｕｎｔ−ｒ１１’パラメータ、‘ｃｒｓ−ＦｒｅｑＳｈｉｆｔ−ｒ１１’パラメータおよび‘ｍｂｓｆｎ−ＳｕｂｆｒａｍｅＣｏｎｆｉｇＬｉｓｔ−ｒ１１’パラメータは、ＮＣＴではいずれも予約値に設定されてもよい。この場合、端末は、ＮＣＴではＣＲＳを受信できず、ＴＲＳのみを用いて時間／周波数トラッキングを行うことができる。あるいは、上記パラメータの一部または全てが、方法（２）によって設定されてもよい。
【０１７３】
２．３．４  新しいＰＱＩ情報を用いたトラッキング方法
図１０は、新しいＰＱＩ情報を用いたトラッキング方法の一つを示す図である。
【０１７４】
図１０に示すように、端末は、２．３．１節乃至２．３．３節で説明したパラメータを用いて、ＮＣＴにおいて時間および／または周波数トラッキングを行うことができる。図１０で、基地局は、第１コンポーネントキャリア（ＣＣ：Component Carrier）および第２コンポーネントキャリアを管理している。ここで、第１のＣＣはレガシＣＣであって、ＰセルまたはＳセルであり、第２のＣＣはＮＣＴであって、ＰセルまたはＳセルであってもよい。仮に、第２のＣＣが同一の基地局ではなく他の基地局のＣＣである場合には、ＣｏＭＰ環境であると仮定する。このとき、第１のＣＣと第２のＣＣとは理想的なバックホールで接続されていてもよい。第１のＣＣおよび第２のＣＣは、それぞれ、それを管理および制御する基地局でスケジューリングされるキャリアを意味する。しかし、以下では、説明の便宜のために、端末が第１のＣＣおよび／または第２のＣＣによって通信を行うと仮定して説明する。
【０１７５】
端末は、第１のＣＣから上位層シグナリングを用いてパラメータセット情報を受信する。このとき、パラメータセット情報は、ＰＱＩ情報が指示するパラメータセットがいかなるパラメータで構成されているかを示す。すなわち、パラメータセットは、２．３．１節乃至２．３．３節で説明した方法で設定されたパラメータで構成することができる（２．２．１節参照）（Ｓ１０１０）。
【０１７６】
端末は、第１のＣＣから、ＤＣＩフォーマット２Ｄで構成されたＰＤＣＣＨ信号を受信する。このとき、ＤＣＩフォーマット２ＤはＰＱＩ情報を含むことができる。ＰＱＩ情報は、ステップＳ１０１０で受信したパラメータセットのうちの一つを指示する（Ｓ１０２０）。
【０１７７】
端末は、第１のＣＣを通じてＰＤＳＣＨ信号をＣＲＳと共に受信する。例えば、第１のＣＣ（例えば、レガシＣＣ）と第２のＣＣ（例えば、ＮＣＴ）とがＣｏＭＰ動作を行う場合、第１のＣＣでＣＳＩ−ＲＳとＣＲＳとのＱＣＬ関係を定義し、ＣＲＳを周波数トラッキングのために用いることができる。すなわち、ＣＲＳは、ＣＳＩ−ＲＳアンテナポートとＱＣＬされ、ＣＳＩ−ＲＳアンテナポートから推定した無線チャネルの広範囲特性を適用してＣＲＳベースのＰＤＳＣＨ信号を受信することができる。このため、端末は、ＣＲＳを用いて時間／周波数トラッキングを行い、チャネル推定を行うことができる（Ｓ１０３０）。
【０１７８】
また、端末が第２のＣＣ、すなわち、ＮＣＴを通じてＰＤＳＣＨ信号を受信する場合、ＴＲＳと共に受信する。このとき、ＮＣＴにはＣＲＳが用いられず、ＣＳＩ−ＲＳとＴＲＳとのＱＣＬ関係を定義し、ＴＲＳを周波数トレッキングのために用いることができる。このため、ＴＲＳはＰＤＳＣＨ信号の復調のためには用いられず、第２のＣＣとの時間／周波数トラッキングのためにのみ用いられる（Ｓ１０４０）。
【０１７９】
２．４  ＣｏＭＰをサポートするためのＱＣＬ−１
ＣｏＭＰ動作の場合、送信点（ＴＰ：Transmission Point）をＰＤＣＣＨ／ＥＰＤＣＣＨを介してサブフレーム単位で選択することができる。したがって、ＣｏＭＰに参加するＴＰの周波数トラッキング（すなわち、周波数同期）を維持するために、該当のＴＰで送信するＣＲＳを使用することができる。そのために、ＴＰによって送信されるアンテナポートのＱＣＬ情報を通じてＣＲＳを用いる。前述したように、ＣＲＳ、ＣＳＩ−ＲＳ、ＵＥ固有ＲＳのアンテナポートに対するＱＣＬによって、端末はタイプＡまたはタイプＢとして動作することができる（２．２節参照）。
【０１８０】
しかし、ＮＣＴでは、時間／周波数トラッキングのためにＣＲＳの代わりにＴＲＳを用いているため、ＴＲＳの運用による端末の新しいＱＣＬタイプを定義する必要がある。また、ＬＴＥ−Ａ Ｒｅｌ−１１標準によれば、送信モード１０およびアンテナポートＱＣＬタイプＢとして設定された端末は、ＣＲＳを用いて周波数トラッキングを行うことができる。したがって、ＮＣＴでは、ＣＲＳの代わりにＴＲＳを用いて周波数トラッキングを行うことができる。すなわち、ＮＣＴではタイプＡおよびＢを、次の表７のように再定義することができる。
【０１８１】
【表７】
0006370808.tif 000010
【０１８２】
このとき、ｑｃｌ−ＣＲＳ−ｉｎｆｏ−ｒ１１パラメータは、ＴＲＳ情報を含む上位層パラメータである。ｑｃｌ−ＣＲＳ−ｉｎｆｏ−ｒ１１パラメータは、ＣＳＩ−ＲＳアンテナポートとＱＣＬされたＣＲＳアンテナポートを指示するために用いられる。ただし、レガシキャリアおよびＮＣＴがセル間調整によってＰＤＳＣＨを送信するように設定された場合（すなわち、レガシキャリアとＮＣＴとがＣｏＭＰ動作を行う場合）、送信モード１０として設定された端末は、レガシキャリアでＰＤＳＣＨが送信される場合とＮＣＴでＰＤＳＣＨが送信される場合とで、ＣＳＩ−ＲＳとアンテナポートとの間のＱＣＬを（以前と）異なるように仮定しなければならない。
【０１８３】
例えば、端末がレガシキャリアでＰＤＳＣＨを受信する場合、端末は、ＣＲＳとＣＳＩ−ＲＳとのＱＣＬを仮定するが、ＮＣＴでＰＤＳＣＨを受信する場合には、端末は、ＴＲＳとＣＳＩ−ＲＳとのＱＣＬを仮定することができる。すなわち、ｑｃｌ−ＣＲＳ−ｉｎｆｏ−ｒ１１パラメータを、ＣＳＩ−ＲＳアンテナポートとＱＣＬされたＴＲＳアンテナポートを指示するために用いることができる。
【０１８４】
すなわち、新タイプＡとして設定された端末は、ＴＲＳアンテナポートとＣＳＩ−ＲＳ、ＵＥ固有ＲＳ（例えば、ＤＭ−ＲＳ）とのＱＣＬを仮定することができる。また、新タイプＢとして設定された端末は、ＴＲＳアンテナポートとＣＳＩ−ＲＳとのＱＣＬを仮定することができる。
【０１８５】
したがって、送信モード１０および新タイプＢとして設定された端末は、ＮＣＴにおいてＣＳＩ−ＲＳから取得した広範囲特性をＴＲＳ受信に適用することによって、ＴＲＳベースの下りリンクデータチャネルの受信性能を向上させることができる。また、端末は、ＣＳＩ−ＲＳおよびＴＲＳに基づいて、ＮＣＴにおいて周波数トラッキングを行うことができる。
【０１８６】
２．５  ＣｏＭＰをサポートするためのＱＣＬ−２
ただし、システム帯域幅が小さいＮＣＴの場合、端末は、ＴＲＳを用いて周波数トラッキングを行ったときに満足すべき性能を得ないことがある。システム帯域幅が大きい場合、システム帯域幅が小さい場合に比べてより多数のＲＥを用いるためである。したがって、システム帯域幅が大きい場合には、ＴＲＳに割り当てられるＲＥの個数も多くなるため、トラッキングの性能が向上する。しかし、システム帯域幅が小さい場合には、相対的に少ない個数のＲＥを用いるため、ＴＲＳに割り当てられるＲＥの個数も小さくなり、満足すべき性能が得られないことがある。
【０１８７】
このため、２．４節におけるＴＲＳとＣＳＩ−ＲＳとのアンテナポートＱＣＬ動作は、最も大きいシステム帯域幅に適用することができる。例えば、ＬＴＥ／ＬＴＥ−Ａシステムの場合、６ＲＢ、１５ＲＢ、２５ＲＢ、５０ＲＢ、１００ＲＢのシステム帯域幅をサポートするが、６ＲＢのシステム帯域幅をサポートする無線接続システムを除いて、１５ＲＢ、２５ＲＢ、５０ＲＢ、１００ＲＢの帯域幅をサポートする無線接続システムにのみ、２．４節で説明したＴＲＳとＣＳＩ−ＲＳとのアンテナポート間ＱＣＬを仮定することができる。
【０１８８】
すなわち、一般に、システム帯域幅≧Ｘ ＲＢ（Ｘは｛６，１５，２５，５０，１００｝に属する元素）の無線接続システムにのみ、２．４節の発明を適用することができる。
【０１８９】
２．６  ＣｏＭＰをサポートするためのＱＣＬ−３
他の方法として、小さいシステム帯域幅を有するＮＣＴにもＴＲＳを用いて周波数トラッキングを試みることができる。この場合には、端末は、参照キャリア（Reference Carrier）のＣＲＳまたはＴＲＳとＮＣＴのＣＳＩ−ＲＳとのＱＣＬを仮定することができる。ネットワークは、上位層シグナリング、物理層（Ｌ１）シグナリング、またはＭＡＣ層（Ｌ２）シグナリングを用いて端末に参照キャリアを知らせることができる。本発明の実施例において、参照キャリアは、プライマリキャリア、Ｐセル、Ｓセルまたはアンカーキャリアなどと呼ぶことができる。
【０１９０】
このとき、参照キャリアのシステム帯域幅は、ＣＲＳまたはＴＲＳを用いて満足すべき時間／周波数トラッキングを行えるようなシステム帯域幅を有すると仮定する。例えば、２５ＲＢ以上のシステム帯域幅を仮定することができる。
【０１９１】
また、ＣＳＩ−ＲＳアンテナポートとのＱＣＬは、次の表８のように定義することができる。
【０１９２】
【表８】
0006370808.tif 000011
【０１９３】
表８において、ｑｃｌ−ｒｅｆｅｒｅｎｃｅＣＲＳ−ｉｎｆｏ−ｒ１１パラメータは、参照キャリアのＣＲＳ情報またはＴＲＳ情報を含むパラメータである。
【０１９４】
図１１は、ＣｏＭＰ環境で行われるトラッキング方法の一つを示す図である。
【０１９５】
図１１において、基地局は、第１のＣＣおよび第２のＣＣを管理している。ここで、第１のＣＣはレガシＣＣであって、ＰセルまたはＳセルであり、第２のＣＣはＮＣＴであって、ＰセルまたはＳセルであってもよい。ただし、ＮＣＴの場合にもＥ−ＰＤＣＣＨなどの制御情報を送信することができる。第１のＣＣおよび第２のＣＣは、同一の基地局（または、送信点）で管理されてもよく、互いに異なる基地局で管理されてもよい。仮に、第２のＣＣが同一の基地局ではなく異なる基地局のＣＣである場合には、ＣｏＭＰ環境であると仮定する。このとき、第１のＣＣと第２のＣＣとは理想的（ideal）バックホールで接続されていてもよい。第１のＣＣおよび第２のＣＣは、それぞれ、それを管理および制御する基地局でスケジューリングされるキャリアを意味する。しかし、以下では、説明の便宜のために、端末は第１のＣＣおよび／または第２のＣＣによって通信すると仮定して説明する。また、図１１は、２．６節で説明した内容に基づいて行われると仮定する。
【０１９６】
図１１において、端末は、送信モード１０およびＱＣＬタイプＢとして設定されている。このとき、端末は、第１のＣＣから、参照キャリアのＣＲＳ情報を示すＱＣＬ参照ＣＲＳ情報（ｑｃｌ−ｒｅｆｅｒｅｎｃｅＣＲＳ−ｉｎｆｏ−ｒ１１）パラメータを含む上位層シグナリングを受信することができる（Ｓ１１１０）。
【０１９７】
ステップＳ１１１０で、上位層シグナリングは、基地局が管理するセル（または、キャリア）のうち参照キャリアを示す参照キャリア指示パラメータをさらに含むことができる。したがって、端末は、参照キャリア指示パラメータから、いずれのキャリアが参照キャリアであるか確認することができる。図１１では、第１のＣＣが参照キャリアであると仮定する。
【０１９８】
端末は、第１のＣＣからＤＣＩフォーマット２Ｄで構成されたＰＤＣＣＨ信号を受信することができる。このとき、ＤＣＩフォーマット２Ｄは、ＰＱＩ情報を含むことができ、ＰＱＩ情報は、端末に設定されたＱＣＬのためのパラメータセットを指示する（２．２．１節参照）（Ｓ１１２０）。
【０１９９】
端末は、ステップＳ１１１０およびＳ１１２０から、ＣｏＭＰ環境で行うＱＣＬ特性について認識する。
【０２００】
端末は、第１のＣＣから、ＣＲＳを含む第１ＰＤＳＣＨ信号を受信することができる。このとき、ＣＲＳは、第１のＣＣのＣＳＩ−ＲＳとＱＣＬされている（Ｓ１１３０）。
【０２０１】
また、端末は、第２のＣＣから、ＣＳＩ−ＲＳを含む第２ＰＤＳＣＨ信号を受信することができる。このとき、第２のＣＣのＣＳＩ−ＲＳは、第１のＣＣのＣＲＳとＱＣＬされている（Ｓ１１４０）。
【０２０２】
したがって、端末は、第１のＣＣのＣＳＩ−ＲＳから取得した広範囲特性をそのまま適用して第２のＣＣのＲＳを受信することによって、下りリンクデータチャネル受信性能を向上させることができる。このとき、第２のＣＣのＲＳは、ＣＳＩ−ＲＳ、ＤＭ−ＲＳまたはＴＲＳであってもよい。
【０２０３】
その後、端末は、第２のＣＣから受信したＱＣＬされたＣＳＩ−ＲＳを用いて、第１のＣＣと第２のＣＣとの間の時間／周波数トラッキングを行うことができる（Ｓ１１５０）。
【０２０４】
本発明の他の実施例として、端末は、ステップＳ１１１０において、上位層信号を用いて、参照キャリアのＴＲＳ情報を示すｑｃｌ−ｒｅｆｅｒｅｎｃｅＣＲＳ−ｉｎｆｏ−ｒ１１パラメータを受信することができる。すなわち、表８で、ＱＣＬの対象が参照キャリアのＴＲＳであってもよい。
【０２０５】
この場合、参照キャリアもＮＣＴであり、このため、端末は、ステップＳ１１３０において、基地局からＴＲＳを含む第１ＰＤＳＣＨ信号を受信することができ、ＴＲＳは第１のＣＣのＣＳＩ−ＲＳとＱＣＬされている。
【０２０６】
また、端末は、ステップＳ１１４０において、第２のＣＣから、第２のＣＣのＲＳを含む第２ＰＤＳＣＨ信号を受信することができる。このとき、第２のＣＣのＲＳは、第１のＣＣのＴＲＳとＱＣＬされている。このため、端末は、第１のＣＣのＣＳＩ−ＲＳから取得した広範囲特性を適用して第１のＣＣのＴＲＳおよび第２のＣＣのＲＳを受信することによって、下りリンクデータチャネルの受信性能を向上させることができる。このとき、第２のＣＣのＲＳは、ＣＳＩ−ＲＳ、ＤＭ−ＲＳまたはＴＲＳであってもよい。
【０２０７】
２．７  同期参照キャリア
ＮＣＴのうち、同期に関連するＰＳＳ／ＳＳＳ／ＴＲＳを送信しないキャリアを、同期したＮＣＴ（synchronized NCT）と呼ぶ。このとき、基地局は、同期したＮＣＴが時間／周波数同期を参照する同期参照キャリアを指定しなければならない。すなわち、同期したＮＣＴは、同期参照キャリアのＰＳＳ／ＳＳＳ／ＣＲＳまたはＴＲＳを用いて時間／周波数同期を取得したり維持する。
【０２０８】
同期したＮＣＴにおいて、ＴＭ１０として設定された端末は、時間／周波数トラッキングのために同期参照キャリアのＣＲＳまたはＴＲＳを用いることができる。これによる端末の動作方式は、次のとおりである。
【０２０９】
（１）同期参照キャリアがＮＣＴである場合
−  ＱＣＬタイプＡ：端末は、サービングセルの同期参照キャリアのＴＲＳに対するアンテナポートｘとサービングセルのアンテナポート７−２２とが、遅延拡散、ドップラ拡散、ドップラシフトおよび平均遅延に関連してＱＣＬされたと仮定する。
【０２１０】
（２）同期参照キャリアがＮＣＴでない場合
−  ＱＣＬタイプＡ：端末は、サービングセルの同期参照キャリアのＣＲＳに対応するアンテナポート０−３とサービングセルのアンテナポート７−２２とが、遅延拡散、ドップラ拡散、ドップラシフトおよび平均遅延に関してＱＣＬされたと仮定する。
【０２１１】
一方、ＮＣＴにおいてＴＭ９の場合、端末は、ＴＲＳのアンテナポートとＣＳＩ−ＲＳアンテナポート１５−２２、ＵＥ固有ＲＳ（例えば、ＤＭ−ＲＳ）アンテナポート７−１４に関してはＱＣＬを仮定しなくてもよい。
【０２１２】
同期したＮＣＴの設定は、システム帯域幅によって決定することができる。例えば、システム帯域幅がｙ個のＲＢ以上である場合、同期したＮＣＴとして設定することができる。あるいは、ｙ個のＲＢ以下のＮＣＴを、同期したＮＣＴとして設定することもできる。例えば、狭帯域（narrow band）では、ＴＲＳの同期性能がよくないため、端末は同期参照キャリアを用いてトラッキングを行うことができる。このため、ｙ個ＲＢ以下のＮＣＴを、同期したＮＣＴとして設定することが好ましい。
【０２１３】
仮に、ＴＲＳがＰＳＳ／ＳＳＳなどのアンテナポートに関する定義がない場合、端末がＴＲＳを用いて時間／周波数トラッキングを行えるようにするためには、次のようなアンテナ間ＱＣＬを定義することができる。
【０２１４】
（１）方法１：ＮＣＴにおいてＴＭ１０として設定されたＵＥは、ＴＲＳとＵＥ固有ＲＳアンテナポート（例えば、アンテナポート７−１４）とに関してＱＣＬを仮定する。
【０２１５】
（２）方法２：ＮＣＴにおいてＴＭ１０として設定されたＵＥは、一つのＣＳＩ−ＲＳリソースに関連するＴＲＳとＣＳＩ−ＲＳアンテナポート（例えば、アンテナポート１５−２２）とに関してアンテナポートＱＣＬを仮定する。
【０２１６】
４．  具現装置
図１２に説明する装置は、図１乃至図１１で説明した方法を具現できる手段である。
【０２１７】
端末（ＵＥ：User Equipment）は、上りリンクでは送信器として動作し、下りリンクでは受信器として動作することができる。また、基地局（ｅＮＢ：e-Node B）は、上りリンクでは受信器として動作し、下りリンクでは送信器として動作することができる。
【０２１８】
すなわち、端末および基地局は、情報、データおよび／またはメッセージの送信および受信を制御するために、それぞれ、送信モジュール（Tx module）１２４０，１２５０、および受信モジュール（Rx module）１２２０，１２７０を備えることができ、情報、データおよび／またはメッセージを送受信するためのアンテナ１２００，１２１０などを備えることができる。
【０２１９】
また、端末および基地局は、それぞれ、上述した本発明の実施例を行うためのプロセッサ（Processor）１２２０，１２３０、およびプロセッサの処理手順を一時的にまたは持続的に記憶できるメモリ１２８０，１２９０を備えることができる。
【０２２０】
上述した端末および基地局装置の構成成分および機能を用いて本願発明の実施例を実行することができる。例えば、端末のプロセッサは、受信器を制御して第１ＲＳおよび第２ＲＳを受信することができる。また、端末は、第１ＲＳを用いて第１ＣＱＩ情報を取得し、第２ＲＳを用いて第２ＣＱＩ情報を取得することができる。その後、端末は、第１ＣＱＩ情報および第２ＣＱＩ情報を基地局にＰＵＣＣＨ／ＰＵＳＣＨを介して報告することができる。詳細な内容については、１節乃至３節に開示された内容を参照されたい。
【０２２１】
端末および基地局に含まれた送信モジュールおよび受信モジュールは、データ送信のためのパケット変復調機能、高速パケットチャネルコーディング機能、直交周波数分割多元接続（ＯＦＤＭＡ：Orthogonal Frequency Division Multiple Access）パケットスケジューリング、時分割デュプレックス（ＴＤＤ：Time Division Duplex）パケットスケジューリングおよび／またはチャネル多重化機能を実行することができる。また、図１２の端末および基地局は、低電力ＲＦ（Radio Frequency）／ＩＦ（Intermediate Frequency）モジュールをさらに備えることができる。
【０２２２】
一方、本発明における端末として、個人携帯端末機（ＰＤＡ：Personal Digital Assistant）、セルラーフォン、個人通信サービス（ＰＣＳ：Personal Communication Service）フォン、ＧＳＭ（Global System for Mobile）フォン、ＷＣＤＭＡ（登録商標）（Wideband CDMA）フォン、ＭＢＳ（Mobile Broadband System）フォン、ハンドヘルドＰＣ（Hand-Held PC）、ノートパソコン、スマート（Smart）フォン、またはマルチモードマルチバンド（ＭＭ−ＭＢ：Multi Mode-Multi Band）端末機などを用いることができる。
【０２２３】
ここで、スマートフォンは、移動通信端末機（器）と個人携帯端末機（器）との長所を組み合わせた端末機（器）であって、移動通信端末機に、個人携帯端末機の機能である日程管理、ファックス送受信およびインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡシステムなど）でも作動できる端末機のことを指す。
【０２２４】
本発明の実施例は、様々な手段によって具現することができる。例えば、本発明の実施例は、ハードウェア、ファームウェア（firmware）、ソフトウェアまたはそれらの組合せなどによって具現することができる。
【０２２５】
ハードウェアによる具現の場合、本発明の実施例に係る方法は、１つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０２２６】
ファームウェアやソフトウェアによる具現の場合、本発明の実施例に係る方法は、以上で説明された機能または動作を実行するモジュール、手順または関数などの形態として具現することもできる。例えば、ソフトウェアコードは、メモリユニット１２８０，１２９０に記憶され、プロセッサ１２２０，１２３０によって駆動されてもよい。メモリユニットは、プロセッサの内部または外部に設けられ、公知の種々の手段によってプロセッサとデータを交換することができる。
【０２２７】
本発明は、本発明の精神および必須の特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を組み合わせて実施例を構成してもよく、出願後の補正によって新しい請求項として含めてもよい。
【産業上の利用可能性】
【０２２８】
本発明の実施例は、様々な無線接続システムに適用可能である。様々な無線接続システムの一例として、３ＧＰＰ（3rd Generation Partnership Project）、３ＧＰＰ２および／またはＩＥＥＥ ８０２．ｘｘ（Institute of Electrical and Electronic Engineers 802）システムなどがある。本発明の実施例は、上記の様々な無線接続システムだけでなく、これら様々な無線接続システムを応用したいずれの技術分野にも適用可能である。
【図１】
0006370808.tif 000012
【図２】
0006370808.tif 000013
【図３】
0006370808.tif 000014
【図４】
0006370808.tif 000015
【図５】
0006370808.tif 000016
【図６】
0006370808.tif 000017
【図７】
0006370808.tif 000018
【図８】
0006370808.tif 000019
【図９】
0006370808.tif 000020
【図１０】
0006370808.tif 000021
【図１１】
0006370808.tif 000022
【図１２】
0006370808.tif 000023